(57)【要約】【課題】ポスターを掲示するために繰り返して使用でき、又、ポスターを確実且つ容易に、しかも外観よく掲示し得る掲示板を提供する。【解決手段】アルミニウム板を用いて形成されたポスター掲示用の基板３を具える。基板３には、ポスター２を支持する支持片３９が有する嵌入突部４１を嵌め入れる開口部２０を設ける。支持片３９は、基板３の裏面に接着されるものであり、嵌入突部４１の表面は、基板３の表面１５と略面一に設定される。そして嵌入突部４１の表面は、ポスター２の裏面に接着する接着面５５とされている。【選択図】        図７
2004287375.tif 000002
【特許請求の範囲】
【請求項１】
ポスターを掲示するための金属製又は硬質樹脂製の基板に開口部を設け、該開口部で、ポスターを支持する支持片を固定し、該支持片の表面を前記基板の表面と略面一に設定すると共に、該支持片の表面を、前記ポスターの裏面に接着する接着面としたことを特徴とする掲示板。
【請求項２】
ポスターを掲示するための金属製又は硬質樹脂製の基板に開口部を設け、該ポスターを支持する支持片を、その表面側の嵌入突部を前記開口部に嵌め入れて前記基板に接着してなり、該嵌入突部の表面を前記基板の表面と略面一に設定すると共に、該嵌入突部の表面を、前記ポスターの裏面に接着する接着面としたことを特徴とする掲示板。
【請求項３】
ポスターを掲示するための金属製又は硬質樹脂製の基板に開口部を設け、該ポスターを支持する支持片を、基板の裏面側から前記開口部を覆うように該基板に接着される台座片の表側に、前記開口部に嵌め入れられる嵌入突部を接着して形成してなり、該嵌入突部の表面を前記基板の表面と略面一に設定すると共に、該嵌入突部の表面を、前記ポスターの裏面に接着する接着面としたことを特徴とする掲示板。
【請求項４】
前記ポスターに対する前記嵌入突部の接着力を、前記台座片に対する前記嵌入突部の接着力よりも大きく設定し、ポスターを剥がしたときに、前記嵌入突部がポスターの裏面に接着したままで前記台座片から分離されることを特徴とする請求項３記載の掲示板。
【請求項５】
ポスターを掲示するための金属製又は硬質樹脂製の基板に開口部を設け、該ポスターを支持する支持片を、基板の裏面側から前記開口部を覆うように該基板の裏面に接着される台座片の表側に、前記開口部に嵌め入れられる嵌入突部を接着して形成してなり、
該嵌入突部は、前記台座片に接着される基片に第１の係止片を設けてなる第１の面状フアスナと、前記ポスターの裏面に接着する基片に、前記第１の係止片と着脱可能に係合し得る第２の係止片を設けてなる第２の面状フアスナを以って形成されており、
前記第１の面状フアスナと前記第２の面状フアスナとが係合一体化せしめられた状態で、該第２の面状フアスナの基片の表面を前記基板の表面と略面一に設定すると共に、該第２の面状フアスナの基片の表面を、前記ポスターの裏面に接着する接着面としたことを特徴とする掲示板。
【請求項６】
前記ポスターの裏面に対する前記第２の面状フアスナの接着力を、前記第１、第２の係止片相互の係合力よりも大きく設定し、該ポスターを剥がしたときに、前記第２の面状フアスナが、該ポスターに接着したままで前記第１の面状フアスナから分離されるようにしたことを特徴とする請求項５記載の掲示板。
【請求項７】
ポスターを掲示するための金属製又は硬質樹脂製の基板に凹部を設け、該凹部で、ポスターを支持する支持片を固定し、該支持片の表面を前記基板の表面と略面一に設定すると共に、該支持片の表面を、前記ポスターの裏面に接着する接着面としたことを特徴とする掲示板。
【請求項８】
ポスターを掲示するための金属製又は硬質樹脂製の基板に凹部を設け、該凹部の底面に、ポスターを支持する支持片を接着し、該支持片の表面を前記基板の表面と略面一に設定すると共に、該支持片の表面を、前記ポスターの裏面に接着する接着面としたことを特徴とする掲示板。
【請求項９】
前記ポスターに対する前記支持片の接着力を、前記凹部の底面に対する前記支持片の接着力よりも大きく設定し、ポスターを剥がしたときに、該支持片が、ポスターの裏面に接着したままで前記底面から分離されることを特徴とする請求項８記載の掲示板。
【請求項１０】
ポスターを掲示するための金属製又は硬質樹脂製の基板に凹部を設け、該凹部で、ポスターを支持する支持片を固定してなり、
該支持片は、前記凹部の底面に接着される基片に第１の係止片を設けてなる第１の面状フアスナと、前記ポスターの裏面に接着する基片に、前記第１の係止片と着脱可能に係合し得る第２の係止片を設けてなる第２の面状フアスナを以って形成されており、
前記第１の面状フアスナと前記第２の面状フアスナとが係合一体化せしめられた状態で、該第２の面状フアスナの基片の表面を前記基板の表面と略面一に設定すると共に、該第２の面状フアスナの基片の表面を、前記ポスターの裏面に接着する接着面としたことを特徴とする掲示板。
【請求項１１】
前記ポスターの裏面に対する前記第２の面状フアスナの接着力を、前記第１、第２の係止片相互の係合力よりも大きく設定し、該ポスターを剥がしたときに、前記第２の面状フアスナが、該ポスターに接着したままで前記第１の面状フアスナから分離されるようにしたことを特徴とする請求項１０記載の掲示板。
【請求項１２】
前記ポスターの裏面に接着する接着面に剥離シートを貼着し、該剥離シートを引き剥がすことによって前記接着面を露出させ得ることを特徴とする請求項１〜１１のいずれかに記載の掲示板。
【請求項１３】
ポスターを掲示するための金属製又は硬質樹脂製の基板に開口部を設け、該開口部で、該ポスターを止着する画鋲のピンを突き刺し状態で支持し得る支持片を固定し、該支持片の表面を前記基板の表面と略面一に設定したことを特徴とする掲示板。
【請求項１４】
ポスターを掲示するための金属製又は硬質樹脂製の基板に開口部を設け、該ポスターを止着する画鋲のピンを突き刺し状態で支持し得る支持片を、その表面側の嵌入突部を前記開口部に嵌め入れて前記基板に接着してなり、該嵌入突部の表面を前記基板の表面と略面一に設定したことを特徴とする掲示板。
【請求項１５】
ポスターを掲示するための金属製又は硬質樹脂製の基板に開口部を設け、該ポスターを止着する画鋲のピンを突き刺し状態で支持し得るゴム質素材からなる支持片を、その表面側の嵌入突部を前記開口部に嵌め入れて前記基板に接着してなり、又、該嵌入突部の表面を前記基板の表面と略面一に設定すると共に、前記嵌入突部の外周面と前記開口部の内周面とは全周に亘って固定せず、該嵌入突部の表面を指先で押圧したときに該嵌入突部が弾性圧縮できることを特徴とする掲示板。
【請求項１６】
ポスターを掲示するための金属製又は硬質樹脂製の基板に開口部を設け、該開口部で、該ポスターを止着する画鋲のピンを突き刺し状態で支持し得る支持片を固定し、該支持片の表面を前記基板の表面と略面一に設定すると共に、該支持片の外周面と前記開口部の内周面との間に、全周に亘って間隙を形成したことを特徴とする掲示板。
【請求項１７】
ポスターを掲示するための金属製又は硬質樹脂製の基板に開口部を設け、該ポスターを止着する画鋲のピンを突き刺し状態で支持し得る支持片を、その表面側の嵌入突部を前記開口部に嵌め入れて前記基板に接着してなり、又、該支持片の表面を前記基板の表面と略面一に設定すると共に、前記嵌入突部の外周面と前記開口部の内周面との間に、全周に亘って間隙を形成したことを特徴とする掲示板。
【請求項１８】
前記支持片は、前記基板に、その裏面側から前記開口部を覆うように接着される台座片の表側に、前記開口部に嵌め入れられる嵌入突部を接着して形成されていることを特徴とする請求項１４、１５又は１７記載の掲示板。
【請求項１９】
前記支持片は、前記台座片と前記嵌入突部とが一体に形成されていることを特徴する請求項１４、１５又は１７記載の掲示板。
【請求項２０】
前記支持片を、前記基板の裏側に固定されるカバー部材でカバーして補強することを特徴とする請求項１〜１９のいずれかに記載の掲示板。
【請求項２１】
ポスターを掲示するための金属製又は硬質樹脂製の基板に凹部を設け、該凹部には、該ポスターを止着する画鋲のピンを突き刺し状態で支持し得る支持片を嵌め入れ状態で固定し、該支持片の表面を前記基板の表面と略面一に設定したことを特徴とする掲示板。
【請求項２２】
ポスターを掲示するための金属製又は硬質樹脂製の基板に凹部を設け、該凹部に、該ポスターを止着する画鋲のピンを突き刺し状態で支持できるゴム質素材からなる支持片を嵌め入れ状態で固定し、該支持片の表面を前記基板の表面と略面一に設定すると共に、前記嵌入突部の外周面と前記開口部の内周面とは全周に亘って固定せず、該嵌入突部の表面を指先で押圧したときに該嵌入突部が弾性圧縮できることを特徴とする掲示板。
【請求項２３】
ポスターを掲示するための金属製又は硬質樹脂製の基板に凹部を設け、該凹部に、該ポスターを止着する画鋲のピンを突き刺し状態で支持できるゴム質素材からなる支持片を嵌め入れ状態で固定し、該支持片の表面を前記基板の表面と略面一に設定すると共に、前記嵌入突部の外周面と前記開口部の内周面との間に、全周に亘って間隙を形成したことを特徴とする掲示板。
【請求項２４】
前記凹部の底部分に開口が設けられると共に、該凹部に固定されてポスターを支持する支持片は、前記凹部に嵌まり合う表面側部の裏面に、前記開口に挿入されて前記凹部の底部分の裏側に突出する裏面側部が一体に設けられており、該裏面側部で、ポスターを止着する画鋲のピンを突き刺し状態で支持可能となされていることを特徴とする請求項２１、２２又は２３記載の掲示板。
【請求項２５】
前記開口部は、前記基板に、前記ポスターの少なくとも四隅部に対応する部位に設けられていることを特徴とする請求項１〜２０のいずれかに記載の掲示板。
【請求項２６】
前記凹部は、前記基板に、前記ポスターの少なくとも四隅部に対応する部位に設けられていることを特徴とする請求項２１、２２又は２３記載の掲示板。
【請求項２７】
芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを支持する支持片が介在されていることを特徴とする掲示板。
【請求項２８】
芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを止着する画鋲のピンを突き刺し状態で支持し得る支持片が介在されていることを特徴とする掲示板。
【請求項２９】
前記支持片の外周面と前記開口部の内周面との間に、全周に亘って間隙を形成したことを特徴とする請求項２８記載の掲示板。
【請求項３０】
前記支持片は、前記前後の基板間に介在される台座片と、前記開口部に嵌め入れられて該台座片に接着される嵌入突部とから構成されていることを特徴とする請求項２７、２８又は２９記載の掲示板。
【請求項３１】
前後の基板に設けられている開口部が対向状態であることを特徴とする請求項２７，２８、２９又は３０何れかに記載の掲示板。
【請求項３２】
請求項２７記載の掲示板が選挙用のポスターを掲示する掲示板として用いられる場合、前後の基板の夫々の表面に、該ポスターを掲示するための区画が上下二段に且つ左右方向に複数形成され、夫々の区画には、各候補者のポスター掲示場所を番号表示する数字が付されており、一方の基板の表面には、上から下に向けて数が大きくなり且つ、右から左に向けて、或いは左から右に向けて数が大きくなるように連続数字が付されると共に、他方の基板の表面には、上から下に向けて数が大きくなり、且つ、右から左に向けて、或いは左から右に向けて数が大きくなるように、しかも、左右隣り合う区画に付された数字が三つ飛びであることを特徴とする掲示板。
【請求項３３】
請求項３２記載の第１の掲示板と、ポスターを掲示するための区画が表面の左右方向に複数形成された第２の掲示板とを支柱枠体に取り付け可能とした選挙用掲示装置であって、
前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段に付された数字と連続するように数が大きくなる如く付されており、連続数字の付された各区画にポスターを掲示できることを特徴とする選挙用掲示装置。
【発明の詳細な説明】
【０００１】
【発明の属する技術分野】
本発明は、選挙用ポスター等のポスターを掲示するために繰り返して使用可能であり、又、ポスターを確実且つ容易に、しかも外観よく掲示し得る掲示板に関するものである。
【０００２】
【従来の技術】
選挙用ポスター等のポスターを掲示するための従来の掲示板は、通常、所要大きさのベニヤ板を以って形成され、角材や棒材等を組み合わせて形成した支柱枠体にネジ釘等を用いて取り付けられていた。そして、該掲示板の表面に設けられた掲示用区画にポスターを接着剤や粘着テープ等で貼り付け、又、適宜、画鋲止めすることが行われていた。
【０００３】
しかしながらベニヤ板からなる従来の掲示板は、日光や風雨に弱く、又、接着剤を除去しにくい等、汚損や破損が激しいために再利用に耐え難いものであった。そのため選挙用のポスター掲示板にあっては、選挙の度に新しく作られ、選挙が終わると取り壊されて焼却処分されていた。従って、選挙毎に大量のベニヤ板や角材、棒材が消費され、公営選挙費用の高騰を招くばかりか、資源の無駄使いともなっていた。
【０００４】
このような問題点を解決せんとして、特開２００１−３３１１３５号公報が開示する組立式ポスター用掲示板が提案されている。該掲示板ａの一つは図１０３に示すものであり、アルミニウム等の金属板を用いて形成したボード板ｂに、ポスターの所定箇所を画鋲止め可能とするため、該ボード板ｂの所定位置に孔部ｃを穿設すると共に、比較的柔らかなガスケットｄを該孔部ｃに埋設した構成を有していた。そして該ガスケットｄは、該孔部ｃを貫通する部分の両端に、ボード板表面に突出する状態で抜け止め突部ｅを一体に設けた構成を有していた。
【０００５】
かかる構成の掲示板ａによるときは、基板が金属製であるために、従来のベニヤ板からなる掲示板に比して耐侯性、耐久性に優れる利点が有ると共に、選挙用ポスターの掲示に使用する場合は、繰り返し使用できる利点があった。
【０００６】
しかしながら該掲示板ａによるときは、図１０３〜１０４に示すように、ボード板ｂに所要にポスターｆを当てがうと共にガスケットｄが埋設された部分で画鋲ｇのピンｈを突き刺して、該ポスターｆをボード板ｂに画鋲止めしたとき、前記のように、ガスケットｄの抜け止め突部ｅがボード板ｂの表面ｊから突出状態にあるため、ポスターｆの、画鋲止めした部分ｋ，ｋの間の縁部分ｍが、ボード板ｂの表面ｎから浮いた状態になる。その結果、この浮いた部分ｐの隙間ｑに風が吹き込んだときにポスターが風であおられて、画鋲止めした部分ｋでポスターが破れ易い問題があった。特に、この浮いた部分ｐの隙間ｑに雨風が吹き込んだときはポスターが一層破れ易い問題があった。
【０００７】
このような欠点を除去するため、図１０５に示すように、ポスターｆの浮いた部分ｑを粘着テープｓで接着することも考えられるが、このようにしたときは、画鋲止めした部分ｋでポスター表面に歪みが発生し、掲示されたポスターの外観が損なわれる他、特にコート紙等の光沢のある用紙を用いたポスターにあっては、歪みが発生した部分の近傍で生ずる光の乱反射によってポスターが見えにくくなる欠点もあった。
【０００８】
かかる問題点を解決し得る掲示板の一例としては、実用新案登録第３０４７９４７号公報が開示する選挙用掲示板が挙げられる。該選挙用掲示板は、アルミニウムの基板の表面に、裏面に剥離性の粘着剤を塗ったシートが貼着されており、このシートの上にポスターを、強力接着剤で貼着させるものであった。そして、選挙が終わった後は、ポスターとシートを別々に剥がすのではなく、ポスターが貼られたままで、シートを剥がすこととしていた。
【０００９】
該選挙用掲示板によるときは、ポスターの裏面全体を基板の表面に密着させ得るため、部分的に浮いた状態でポスターが掲示される前記組立式ポスター用掲示板における問題点は解消できると共に、シートに頑強に張り付いているポスターであっても、ポスターの貼着状態に関係なくシートを剥がすことができるため、基板は繰り返して使用できる利点があった。
【００１０】
しかしながら該選挙用掲示板によるときは、基板の再使用時において、新しいシートを基板の表面全体に貼着しなければならなかったため、余程慎重に貼着作業を行わなければシートに皺が寄りやすく、又、シートと基板表面との間に空気が介在する等して、掲示板の外観を著しく損なう問題があった。かかることから、シートの貼着作業は専門家にとっても非常に難しく多くの作業時間を要して労務費の上昇を招くことになった。
【００１１】
加えて、前記公報には明記されていないが、ポスターを掲示するための前記アルミニウムの基板は、その補強のために、該基板の裏側で、少なくとも周縁部分には枠片が配置され、又、中間部分にも適宜補強枠片が配置されと考えられるが、これらの枠片が前記基板にリベット止めされたりビス止めされたときは、リべットやビスの頭部が基板表面に突出する場合が生ずる。このようになると、突出した頭部が存在する部分ではシートを密着状態に貼着し難いためにシートが浮いた状態になってしまい、掲示板の外観を著しく損なう問題を招来することになる。そこで、このように浮いたシート部分を、熱処理を施して基板に密着させなければならないが、均一な密着は困難であるために、掲示板の外観が損なわれる問題が残った。
【００１２】
【特許文献１】
特開２００１−３３１１３５号公報（第３頁、図３）
【特許文献２】
実用新案登録第３０４７９４７号公報（第３−４頁、図２）
【００１３】
【発明が解決しようとする課題】
本発明は、前記従来の問題点に鑑みて開発されたものであり、選挙用ポスター等のポスターを掲示するために繰り返して使用可能な掲示板の提供を課題とするものであり、又、ポスターを確実且つ容易に、しかも外観よく掲示し得る掲示板の提供を課題とするものである。
【００１４】
【課題を解決するための手段】
前記課題を解決するため本発明は以下の手段を採用する。
即ち本発明に係る掲示板は、ポスターを掲示するための金属製又は硬質樹脂製の基板に開口部を設け、該開口部で、ポスターを支持する支持片を固定し、該支持片の表面を前記基板の表面と略面一に設定すると共に、該支持片の表面を、前記ポスターの裏面に接着する接着面としたことを特徴とするものである。
【００１５】
前記掲示板のより具体的な態様は、ポスターを掲示するための金属製又は硬質樹脂製の基板に開口部を設け、該ポスターを支持する支持片を、その表面側の嵌入突部を前記開口部に嵌め入れて前記基板に接着してなり、該嵌入突部の表面を前記基板の表面と略面一に設定すると共に、該嵌入突部の表面を、前記ポスターの裏面に接着する接着面としたことを特徴とするものである。
【００１６】
本発明に係る掲示板のより具体的な他の態様は、ポスターを掲示するための金属製又は硬質樹脂製の基板に開口部を設け、該ポスターを支持する支持片を、基板の裏面側から前記開口部を覆うように該基板に接着される台座片の表側に、前記開口部に嵌め入れられる嵌入突部を接着して形成してなり、該嵌入突部の表面を前記基板の表面と略面一に設定すると共に、該嵌入突部の表面を、前記ポスターの裏面に接着する接着面としたことを特徴とするものである。
【００１７】
前記掲示板において、ポスターに対する前記嵌入突部の接着力を、前記台座片に対する前記嵌入突部の接着力よりも大きく設定し、ポスターを剥がしたときに、前記嵌入突部がポスターの裏面に接着したままで前記台座片から分離されるように構成するのがよい。
【００１８】
本発明に係る掲示板のより具体的なその他の態様は、ポスターを掲示するための金属製又は硬質樹脂製の基板に開口部を設け、該ポスターを支持する支持片を、基板の裏面側から前記開口部を覆うように該基板の裏面に接着される台座片の表側に、前記開口部に嵌め入れられる嵌入突部を接着して形成してなる。そして該嵌入突部は、前記台座片に接着される基片に第１の係止片を設けてなる第１の面状フアスナと、前記ポスターの裏面に接着する基片に、前記第１の係止片と着脱可能に係合し得る第２の係止片を設けてなる第２の面状フアスナを以って形成してなり、前記第１の面状フアスナと前記第２の面状フアスナとが係合一体化せしめられた状態で、該第２の面状フアスナの基片の表面を前記基板の表面と略面一に設定すると共に、該第２の面状フアスナの基片の表面を、前記ポスターの裏面に接着する接着面としたことを特徴とするものである。
【００１９】
前記掲示板において、前記ポスターの裏面に対する前記第２の面状フアスナの接着力を、前記第１、第２の係止片相互の係合力よりも大きく設定し、該ポスターを剥がしたときに、前記第２の面状フアスナが、該ポスターに接着したままで前記第１の面状フアスナから分離されるように構成するのがよい。
【００２０】
本発明に係る掲示板の他の態様は、ポスターを掲示するための金属製又は硬質樹脂製の基板に凹部を設け、該凹部で、ポスターを支持する支持片を固定し、該支持片の表面を前記基板の表面と略面一に設定すると共に、該支持片の表面を、前記ポスターの裏面に接着する接着面としたことを特徴とするものである。
【００２１】
前記掲示板のより具体的な態様は、ポスターを掲示するための金属製又は硬質樹脂製の基板に凹部を設け、該凹部の底面に、ポスターを支持する支持片を接着し、該支持片の表面を前記基板の表面と略面一に設定すると共に、該支持片の表面を、前記ポスターの裏面に接着する接着面としたことを特徴とするものである。
【００２２】
前記掲示板において、ポスターに対する前記支持片の接着力を、前記凹部の底面に対する前記支持片の接着力よりも大きく設定し、ポスターを剥がしたときに、該支持片が、ポスターの裏面に接着したままで前記底面から分離されるように構成するのがよい。
【００２３】
本発明に係る掲示板のより具体的な態様は、ポスターを掲示するための金属製又は硬質樹脂製の基板に凹部を設け、該凹部で、ポスターを支持する支持片を固定してなり、該支持片は、前記凹部の底面に接着される基片に第１の係止片を設けてなる第１の面状フアスナと、前記ポスターの裏面に接着する基片に、前記第１の係止片と着脱可能に係合し得る第２の係止片を設けてなる第２の面状フアスナを以って形成されている。そして、前記第１の面状フアスナと前記第２の面状フアスナとが係合一体化せしめられた状態で、該第２の面状フアスナの基片の表面を前記基板の表面と略面一に設定すると共に、該第２の面状フアスナの基片の表面を、前記ポスターの裏面に接着する接着面としたことを特徴とするものである。
【００２４】
該掲示板において、前記ポスターの裏面に対する前記第２の面状フアスナの接着力を、前記第１、第２の係止片相互の係合力よりも大きく設定し、該ポスターを剥がしたときに、前記第２の面状フアスナが、該ポスターに接着したままで前記第１の面状フアスナから分離されるように構成するのがよい。
【００２５】
前記各掲示板において、前記ポスターの裏面に接着する接着面に剥離シートを貼着し、該剥離シートを引き剥がすことによって前記接着面を露出させ得るように構成するのがよい。
【００２６】
本発明に係る掲示板の他の態様は、ポスターを掲示するための金属製又は硬質樹脂製の基板に開口部を設け、該開口部で、該ポスターを止着する画鋲のピンを突き刺し状態で支持し得る支持片を固定し、該支持片の表面を前記基板の表面と略面一に設定したことを特徴とするものである。
【００２７】
該掲示板のより具体的な態様は、ポスターを掲示するための金属製又は硬質樹脂製の基板に開口部を設け、該ポスターを止着する画鋲のピンを突き刺し状態で支持し得る支持片を、その表面側の嵌入突部を前記開口部に嵌め入れて前記基板に接着してなり、該嵌入突部の表面を前記基板の表面と略面一に設定したことを特徴とするものである。
【００２８】
本発明に係る掲示板のより具体的なその他の態様は、ポスターを掲示するための金属製又は硬質樹脂製の基板に開口部を設け、該ポスターを止着する画鋲のピンを突き刺し状態で支持し得るゴム質素材からなる支持片を、その表面側の嵌入突部を前記開口部に嵌め入れて前記基板に接着してなり、又、該嵌入突部の表面を前記基板の表面と略面一に設定すると共に、前記嵌入突部の外周面と前記開口部の内周面とは全周に亘って固定せず、該嵌入突部の表面を指先で押圧したときに該嵌入突部が弾性圧縮できることを特徴とするものである。
【００２９】
本発明に係る掲示板のより具体的なその他の態様は、ポスターを掲示するための金属製又は硬質樹脂製の基板に開口部を設け、該開口部で、該ポスターを止着する画鋲のピンを突き刺し状態で支持し得る支持片を固定し、該支持片の表面を前記基板の表面と略面一に設定すると共に、該支持片の外周面と前記開口部の内周面との間に、全周に亘って間隙を形成したことを特徴とするものである。
【００３０】
本発明に係る掲示板のより具体的なその他の態様は、ポスターを掲示するための金属製又は硬質樹脂製の基板に開口部を設け、該ポスターを止着する画鋲のピンを突き刺し状態で支持し得る支持片を、その表面側の嵌入突部を前記開口部に嵌め入れて前記基板に接着してなり、又、該支持片の表面を前記基板の表面と略面一に設定すると共に、前記嵌入突部の外周面と前記開口部の内周面との間に、全周に亘って間隙を形成したことを特徴とするものである。
【００３１】
基板に開口部を設けると共に該開口部を覆うように支持片を設け、該支持片にポスターを画鋲止めする前記各掲示板において、前記支持片は、前記基板に、その裏面側から前記開口部を覆うように接着される台座片の表側に、前記開口部に嵌め入れられる嵌入突部を接着して形成されたり、前記台座片と前記嵌入突部とが一体に形成されたりする。
【００３２】
前記各掲示板において、前記支持片を、前記基板の裏側に固定されるカバー部材でカバーして補強するのがよい。
【００３３】
本発明に係る掲示板のより具体的なその他の態様は、ポスターを掲示するための金属製又は硬質樹脂製の基板に凹部を設け、該凹部には、該ポスターを止着する画鋲のピンを突き刺し状態で支持し得る支持片を嵌め入れ状態で固定し、該支持片の表面を前記基板の表面と略面一に設定したことを特徴とするものである。
【００３４】
本発明に係る掲示板のより具体的なその他の態様は、ポスターを掲示するための金属製又は硬質樹脂製の基板に凹部を設け、該凹部に、該ポスターを止着する画鋲のピンを突き刺し状態で支持できるゴム質素材からなる支持片を嵌め入れ状態で固定し、該支持片の表面を前記基板の表面と略面一に設定すると共に、前記嵌入突部の外周面と前記開口部の内周面とは全周に亘って固定せず、該嵌入突部の表面を指先で押圧したときに該嵌入突部が弾性圧縮できることを特徴とするものである。
【００３５】
又本発明に係る掲示板のより具体的なその他の態様は、ポスターを掲示するための金属製又は硬質樹脂製の基板に凹部を設け、該凹部に、該ポスターを止着する画鋲のピンを突き刺し状態で支持できるゴム質素材からなる支持片を嵌め入れ状態で固定し、該支持片の表面を前記基板の表面と略面一に設定すると共に、前記嵌入突部の外周面と前記開口部の内周面との間に、全周に亘って間隙を形成したことを特徴とするものである。
【００３６】
基板に凹部を設け、該凹部に支持片を嵌め入れ状態で固定する前記掲示板において、前記凹部の底部分に開口を設けると共に、該凹部に固定されてポスターを支持する支持片を、前記凹部に嵌まり合う表面側部の裏面に、前記開口に挿入されて前記凹部の底部分の裏側に突出する裏面側部を一体に設けて構成し、該裏面側部で、ポスターを止着する画鋲のピンを突き刺し状態で支持可能となすのがよい。
【００３７】
前記各掲示板において、前記開口部は、前記基板に、前記ポスターの少なくとも四隅部に対応する部位に設けるのがよい。
【００３８】
基板に凹部を設け、該凹部に支持片を嵌め入れ状態で固定する前記掲示板において、前記凹部は、前記基板に、前記ポスターの少なくとも四隅部に対応する部位に設けるのがよい。
【００３９】
本発明に係る掲示板のその他の態様は、芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを支持する支持片が介在されていることを特徴とするものである。
【００４０】
本発明に係る掲示板のその他の態様は、芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを止着する画鋲のピンを突き刺し状態で支持し得る支持片が介在されていることを特徴とするものである。
【００４１】
芯材の表裏面に前後の基板を重ね合わせてなり、且つ前記支持片が画鋲のピンを支持する前記掲示板において、前記支持片の外周面と前記開口部の内周面との間に、全周に亘って間隙を形成するのがよい。又これらの掲示板において、前記支持片は、前記前後の基板間に介在される台座片と、前記開口部に嵌め入れられて該台座片に接着される嵌入突部とから構成するのがよい。又これらの掲示板において、前後の基板に設ける開口部は対向状態にするのがよい。
【００４２】
芯材の表裏面に前後の基板を重ね合わせてなる前記掲示板を選挙用のポスターを掲示する掲示板として用いる場合、前後の基板の夫々の表面に、該ポスターを掲示するための区画を上下二段に且つ左右方向に複数形成し、夫々の区画に、各候補者のポスター掲示場所を番号表示する数字を付し、一方の基板の表面には、上から下に向けて数が大きくなり且つ、右から左に向けて、或いは左から右に向けて数が大きくなるように連続数字を付すと共に、他方の基板の表面には、上から下に向けて数が大きくなり、且つ、右から左に向けて、或いは左から右に向けて数が大きくなるように、しかも、左右隣り合う区画に付された数字が三つ飛びとなるように構成するのがよい。
【００４３】
又、本発明に係る選挙用掲示装置は、ポスター掲示場所を番号表示する数字が上記のように付された第１の掲示板と、ポスターを掲示するための区画が表面の左右方向に複数形成された第２の掲示板とを支柱枠体に取り付け可能とした選挙用掲示装置であって、前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされている。そして該第２の掲示板の各区画に付された数字が、前記第１の掲示板の下段に付された数字と連続するように数が大きくなる如く付されており、連続数字の付された各区画にポスターを掲示できることを特徴とするものである。
【００４４】
【発明の実施の形態】
〔第１の実施の形態〕
以下、本発明の実施の形態を図面に基づいて説明する。
図１〜２において本発明に係る掲示板１は、選挙用のポスター２を図３に示すように掲示する掲示板として応用されており、基板３に対して該ポスター２を接着によって掲示可能としてなり、支柱枠体５に着脱可能に取り付けられるものである。
【００４５】
該基板３は、図４〜５に示すように、アルミニウム板やステンレス板等の金属板や、硬質合成樹脂板を用いて構成できる。本実施の形態においては、軽量化のために、例えば１ｍｍ肉厚の横長矩形板状を呈するアルミニウム板を以って形成されており、格子状枠体６の表面に重ね合わせて固定されている。
【００４６】
該格子状枠体６は、図５に示すように、例えばアルミニウム製のものであり、上下の横枠７，９の両端相互を左右の縦枠１０，１１で連結すると共に、該左右の縦枠１０，１１の中間部相互を横補強枠１２で連結し、又上下の横枠７，９の中間部相互を、横方向に等間隔で３箇所、縦補強枠１３，１３，１３で連結して構成されており、格子状枠体６の表面に重ね合わせられた基板３が、図示しないブラインドリベット等の固定手段を用いて該格子状枠体６に固定されている。
【００４７】
又、該基板３の表面１５には、図１〜４に示すように、選挙の種類や選挙管理委員会名、投票日等の選挙に関する所要事項を記載した縦長のポスター２ａを掲示するための第１の区画１６と、立候補者のポスター２ｂを掲示するための第２の区画１７とから構成されており、該第２の区画１７は、例えば、上下二段で左右方向に複数設けられ、夫々の区画１７には、各候補者のポスターを掲示する場所を番号表示する数字が付されている。そして第１、第２の区画１６，１７は、印刷又はテープの貼着により形成された区画線１９で仕切られることによって設けられている。
【００４８】
前記第１の区画１６には、図６〜８に示すように、直径が２２〜３２ｍｍの範囲にある（例えば３２ｍｍの直径を有する）円形の開口部２０の６個を上下に間隔を置いて並設してなる開口部列２１を、左右２列で設けてなる。そして上下端に位置する開口部２０ａ，２０ｂは、基板３の上下端に近接して設けられると共に、中央に位置する開口部２０ｃ，２０ｄは、前記横補強枠１２を上下から挟むように設けられている。
【００４９】
又前記第２の区画１７の夫々には、図８〜１０に示すように、直径が２２〜３２ｍｍの範囲にある（例えば３２ｍｍの直径を有する）円形の開口部２０の３個を上下に間隔を置いて並設してなる開口部列２２が、左右２列で設けられている。そして上下に位置する開口部２０ｅ，２０ｆは、上下の区画線部分２３，２５に近接して設けられると共に、中間に位置する開口部２０ｇは、上下の開口部２０ｅ，２０ｆの中央に位置して設けられている。
【００５０】
該第１、第２の区画１６，１７における開口部２０の配置をより具体的に説明すれば、図１１〜１２に示すように、第１の区画１６における左右の開口部列２１，２１間の間隔及び、第２の区画１７における左右の開口部列２２，２２間の間隔は、左右に位置する開口部２０ｈ，２０ｊの左右端２６，２７が、ポスター２ａ，２ｂの左右端２９，３０から内方に２ｍｍ程度入り込んだ状態となるように位置設定する。又、第１の区画１６における上下端の開口部２０ａ，２０ｂ及び第２の区画１７における上下の開口部２０ｅ，２０ｆは、その上下端３１，３２，３３，３５が、ポスター２ａ，２ｂの上下端３６，３７から内方に２ｍｍ程度入り込んだ状態となるように位置設定する。
【００５１】
そして前記基板３には、ポスター２を支持する支持片３９が付設されている。該支持片３９は、図７、図１３及び図１０、図１４〜１５に示すように、基板３の裏面側から前記開口部２０を覆うように基板３の裏面３８に接着される台座片４０の表側に、前記開口部２０に嵌め入れられる円板状の嵌入突部４１を接着して形成されている。
【００５２】
該台座片４０は、本実施の形態においては、上下長さが５０ｍｍで左右長さが６０ｍｍ、肉厚が６ｍｍのゴム質矩形状板として形成されている。又前記嵌入突部４１は、図１５に示すように、前記台座片４０の表側の中央部に凹設された円形凹部４２の底面４３に、ポスター２の支持に支障がない強度で接着される円板状の基片４５に、鉤状をなす第１の係止片４６を設けてなる第１の面状ファスナ４７と、前記ポスター２の裏面４９に接着する円板状の基片５０に、前記第１の係止片４６と着脱可能に係合し得るループ状をなす第２の係止片５１を設けてなる第２の面状ファスナ５２を以って形成されている。そして図７、図１０、図１５に示すように、前記第１の面状ファスナ４６と前記第２の面状ファスナ５２が係合一体化せしめられた状態の嵌入突部４１が前記開口部２０に嵌め入れられた状態で、該第２の面状ファスナ５２の基片５０の表面（支持片３９の表面）５３が、前記基板３の表面１５と略面一となるように設定されると共に、該基片５０の表面５３が、前記ポスター２の裏面４９に接着する接着面５５とされている。
【００５３】
本実施の形態においては、前記ポスター２に対する前記第２の面状ファスナー５２の接着力を、前記第１、第２の係止片４６，５１相互の係合力よりも大きく設定し、図１６〜１７に示すように、ポスター２を剥がしたときに、前記第２の面状ファスナ５２がポスター２の裏面４９に接着したままで、前記第１の面状ファスナ４７から分離されるように構成している。
【００５４】
なお前記接着面５５には、図７、図３及び図１０、図１３〜１４に示すように、摘み片５６を具えた円形の剥離シート５７が貼着されている。該剥離シート５７は、ポスターを掲示するまでの間、前記接着面５５が埃で汚れて接着力が弱くなるのを防止するものであり、ポスター掲示に際して該剥離シート５７を引き剥がすことにより前記接着面５５を露出させ得る。
【００５５】
又本実施の形態においては、図５に示すように、基板３に接着された前記台座片４０を、例えばアルミニウム板を屈曲して形成したカバー部材５９でカバーすることにより、該台座片４０を補強している。該カバー部材５９には、前記格子状枠体６への側面固定片５８を具える第１のカバー部材５９ａ（図１３）と、これを具えない第２のカバー部材５９ｂ（図１４）の２種類がある。
【００５６】
前記第２のカバー部材５９ｂは、前記台座片４０に被るコ字状片６０の両端に、前記基板３の裏面３８に当接する基板固定片６２，６２を設けてなり、又前記第１のカバー部材５９ａは、図１４、図５、図１８に示すように、前記コ字状片６０の一側縁に、前記上下の横枠７，９の内側の側面６３，６５（図６）又は前記横補強枠１２の上下の側面６６，６７（図６、図９）に当接する前記側面固定片５８を屈曲形成した構成を有している。そして該第２のカバー部材５９ｂは、図１４、図５、図１０、図１８に示すように、そのコ字状片６０の底面６９で、前記台座片４０の裏面７０に当接状態に接着されると共に、両基板固定片６２，６２が、前記基板３の裏面３８に当接状態に接着される。又該第１のカバー部材５９ａは、これに加えて、前記側面固定片５８が、図５、図７、図１３に示すように、前記内側の側面６３、６５、上下の側面６６，６７に当接状態に接着される。
【００５７】
第１と第２のカバー部材５９ａ，５９ｂがこのようにして基板３に固定されることにより、前記台座片４０は、基板３に対する固定と、前記第１、第２のカバー部材５９ａ，５９ｂによる接着固定によって、基板３に強固に固定される。従って、開口部２０の直径が例えば３２ｍｍ程度と大きく形成されている場合において、前記台座片４０が基板３の裏側に向けて押圧されたときにも、台座片４０が撓んでこれが基板３から剥がれてしまうといった恐れがない。
【００５８】
特に本実施の形態においては、ゴム質素材からなる台座片４０に嵌入突部４１を接着することによって支持片３９を構成しているため、ポスター２を図１８に示すように、前記開口部２０で画鋲７１を用いて止着することもでき、画鋲７１のピン７２が、前記厚肉の台座片４０に突き刺し状態で安定的に支持され得る。
【００５９】
又前記第１の区画１６及び第２の区画１７には、図３〜４、図８に示すように、上下端の四隅に存する開口部の夫々の外側に位置させて、掲示されるポスター２の四隅部分７３，７３，７３，７３の取付け位置を明示するＬ字状の位置決め線７５が、該隅部分７３と重なり得るように印刷されている。
【００６０】
かかる構成を有する掲示板１を着脱可能に取り付けるための前記支柱枠体５は、掲示板１の設置場所に応じて適宜形態で組み立てられるものである。図１、図１９〜２０はその一例を示すものであり、前記掲示板１の左右長さよりも稍短い間隔を置いて地面７６に打ち込まれた前の支持杭７７，７７を介して垂直に立設された支柱７９，７９の上端部位相互、及び中間部位相互が、前記掲示板１の上下長さに略等しい間隔を置いて、平行する上下の連結杆８０，８１で連結されている。又、前記前の支持杭７７，７７の夫々の後方に位置させて後の支持杭８２，８２が打ち込まれ、該後の支持杭８２と前記支柱７９の上端部分相互が傾斜杆８３で連結されると共に、後の支持杭８２と支柱７９の下端部分相互が繋ぎ杆８５で連結されている。
【００６１】
前記前後の支持杭７７，７７，８２，８２、支柱７９，７９、傾斜杆８３，８３、繋ぎ杆８５，８５は全て、例えば、仮設足場機材として一般に用いられている単管を流用して形成されており、特に該支持杭７７，８２は、下端がＶ字にカットされている。又、前の支持杭７７と支柱７９の連結、支柱７９と繋ぎ杆８５の連結、支柱７９と傾斜杆８３の連結は、自在型２連クランプ８６を用いて行われると共に、後の支持杭８２と傾斜杆８３の下端部分８７と繋ぎ杆８５の後端部分８９の三者の連結は、自在型３連クランプ９０を用いて行われている。なお、該自在型２連クランプ８６及び自在型３連クランプ９０は、便宜上、簡略に図示している。
【００６２】
又図１、図１９〜２１に示すように、前記上下の連結杆８０，８１と支柱７９，７９相互の連結は、単クランプ９１を用いて行われ、該単クランプ９１の前面９２には、底片９３の上下に保持片９５，９６を平行に突設してなるコ字状部材９７ａとしての保持部材９７が、該底片９３においてスポット溶接されている。該上下の保持片９５，９６間の間隔は、前記格子状枠体６の上下の横枠７，９の上下厚さよりも若干大きく形成され、該上下の保持片９５，９６には、保持孔９９，１００が同心に設けられている。
【００６３】
又前記上下の横枠７，９には、図２０、図５に示すように、その両側に位置させて、前記保持孔９９，１００と位置合わせして上下方向の取付孔１０１が設けられている。そして図２０に示すように、上下の保持片９５，９６間に上の横枠７又は下の横枠９を、その後端面１０２を前記コ字状部材９７の前記底片９３に当接状態にして挿入すると、前記上下の保持孔９９，１００と前記取付孔１０１が同心に位置合わせされるようになされている。
【００６４】
然して，かかる構成を有する支柱枠体５に前記掲示板１を取り付けるに際しては、図２１〜２２に示すように、上下の横枠７，９を、前記上下のコ字状部材９７ａ，９７ａの上下の保持片９５，９６間１０３に挿入させ、その後端面１０２を、前記底片９３に当接状態にする。これによって、上下の保持孔９９，１００と取付孔１０１が同心に位置合わせされるので、これらの孔に、固定ピン１０５を上から落とし込み状態に挿入すると、該上下の横枠７，９が、前記単クランプ９１を介して左右の支柱７９，７９に取り付けられることになる。そして該固定ピン１０５を抜き取ることにより、掲示板１を支柱枠体５から分離できる。
【００６５】
次に、前記第１の区画１６に前記縦長のポスター２ａを掲示する要領を説明する。先ず図２３に示すように、該ポスター２ａの四隅部分７３，７３，７３，７３を前記上下左右のＬ字状の位置決め線７５，７５，７５，７５と位置合わせして、ポスター２ａを基板３の表面１５に密着させる。その後図２３〜２４に示すように、ポスター２ａの上下方向の中間部分１０６，１０６を、中間に位置する左右の支持片３９ａ，３９ａに、前記剥離シート５７が付着したままの状態で、画鋲７１を用いて仮固定する。前記支持片３９が、ゴム質素材からなる台座片４０を具えるために、画鋲止めできるのである。
【００６６】
このように画鋲止めする際、前記支持片３９ａの嵌入突部４１ａがポスター２ａで隠れるために、その場所が分かりにくいように思われるが、該嵌入突部４１ａが第１、第２の面状ファスナ４７，５２を以って形成されているために、ポスターの表面１０７を、基板３に向けて指先で押圧しながら撫でると、該面状ファスナが弾性的に凹むため、嵌入突部４１ａが存する位置を容易に判別できる。従って、その位置でポスターを確実に画鋲止めできるのである。なお、前記カバー部材５９が台座片４０を支持しているため、画鋲７１を押圧したときに、台座片４０が基板裏側に突出するように撓み変形する恐れがなく、台座片４０に画鋲のピン７２を安定的に突き刺すことができる。
【００６７】
その後、ポスター２ａの上半分１０９を手前に倒し、上に位置する各嵌入突部４１に関して、前記剥離シート５７を前記摘み片５６を指先で把持して引き剥がす。これにより、第２の面状ファスナ５２の基片５０の接着面５５が露出する。然る後、図２５に示すように、ポスターの上半分１０９を起こして基板３の表面１５に密着させ、その左右部分１１０，１１１を、露出した各接着面５５に押し付ける。これにより、ポスターの上半分１０９が各接着面５５に接着されることになる。
【００６８】
その後、前記左右の画鋲７１，７１を取り外すと共にポスター２ａの下半分１１２を手前に捲くり上げ、残りの嵌入突部４１に関して前記剥離シート５７を引き剥がす。然る後、図３に示すように、ポスターの下半分１１２を垂らして前記基板３の表面１５に密着させ、その左右部分１１３，１１５を、露出した各接着面５５に押し付ける。これにより、ポスターの下半分１１２が各接着面５５に接着されることになる。これらの工程を経て、縦長のポスター２ａを、図３、図２６に示すように、第１の区画１６の基板表面１５に密着状態にして確実に掲示できる。
【００６９】
次に、第２の区画１７に立候補者のポスター２ｂを掲示する要領を説明する。前記と同様にして、図２３に示す如く、該ポスター２ｂの四隅部分７３，７３，７３，７３を上下左右の位置決め線７５，７５，７５，７５と位置合わせして、該ポスター２ｂを基板３の表面１５に密接させる。その後図２３に示し、又図２４に示すと同様にして、ポスター２ｂの上下方向の中間部分１０６，１０６を、中間に位置する左右の支持片３９ａ，３９ａに、前記剥離シート５７が付着したままの状態で、画鋲７１，７１で仮止めする。
【００７０】
その後、ポスターの上半分１０９を手前に倒し、上段の嵌入突部４１，４１の剥離シート５７，５７を前記摘み片５６を指先で把持して引き剥がす。これにより、第２の面状ファスナ５２の基片５０の接着面５５が露出する。その後、図２５に示すように、ポスターの上半分１０９を起こして前記基板３の表面１５に密着させ、その左右部分１１０，１１１を、露出した各接着面５５に押し付ける。
【００７１】
その後、前記左右の画鋲７１，７１を取り外すと共にポスター２ｂの下半分１１２を手前に捲くり上げ、残りの嵌入突部４１に関して前記剥離シート５７を引き剥がす。然る後、図３に示すように、ポスターの下半分１１２を垂らして前記基板３の表面１５に密着させ、その左右部分１１３，１１５を、露出した各接着面５５に押し付ける。これにより、ポスターの下半分１１２が各接着面５５に接着されることになる。
【００７２】
これらの工程を経て、前記ポスター２ｂを、図２６に示すと同様にして、第２の区画１７に、密着状態に確実に掲示できる。
【００７３】
図２７は、前記嵌入突部４１の全て又はその一部分、例えば、ポスター２ａに関しては四隅部分と中間部分に、又、ポスター２ｂに関しては四隅部分に、ポスターを補助的に画鋲止めした状態を示すものである。該画鋲７１のピン７２は、図１８に示すように、前記台座片４０に突き刺さって支持される。
【００７４】
このようにしてポスターの掲示を行い得るのであるが、次に、掲示されたポスター２を剥がして掲示板１を次回選挙に備えて補修する作業工程を説明する。
【００７５】
この場合は、例えば図１６に示すように、隅部分７３からポスター２を順次剥がす。前記のように、ポスター３に対する第２の面状ファスナ５２の接着力が、第１、第２の面状ファスナ４７，５２の第１，第２の係止片４６，５１相互の係合力よりも大きく設定されているために、該第２の面状ファスナ５２がポスター２に接着したままの状態で、該第２の面状ファスナ５２が前記第１の面状ファスナ４７から分離される。従って、再使用に備えて掲示板１を補修するには、前記と同様構成の新たな第２の面状ファスナ５２を前記第１の面状ファスナ４７に、第１、第２の係止片４６，５１相互を係合状態にして押し付けるだけでよく、これにより、剥離シート５７が基板の表面側に存する図４に示すような掲示板１が得られることになる。
【００７６】
なお図２８〜２９は、立候補者数が多い場合に対処するために、前記掲示板１に、第２の区画１７のみが設けられた横連結の掲示板１ａを、前記と同様に構成された支柱枠体５に取り付け、掲示板１と横連結の掲示板１ａ相互を連結金具１１６を用いて連結した状態を示すものである。
【００７７】
両掲示板１，１ａ相互を連結金具１１６を用いて連結するには、図２９〜３０に示すように、コ字状に形成された連結金具１１６ａの両垂下片１１７，１１７を、両掲示板１，１ａの上の横枠７，７の端部寄りに設けられた上下方向の連結孔１２０，１２０に挿入して、隣り合う上の横枠７，７相互を連結する。又、隣り合う下の横枠９，９相互、及び隣り合う横補強枠１２，１２相互を連結するには、図２９〜３０に示すように、コ字状部１２１の両端に垂下片１２２，１２２を屈曲形成してなる連結金具１１６ｂを用い、該連結金具１１６ｂの両垂下片１２２，１２２を、下の横枠９，９の端部寄りに設けられた上下方向の連結孔１２６，１２６に挿入すると共に、横補強枠１２，１２の端部寄りに設けられた上下方向の連結孔１２７，１２７に両垂下片１２２，１２２を挿入して行う。なお、前記横連結の掲示板１ａに更に横連結の掲示板を連結することもある。
【００７８】
図３１〜３２は、立候補者が多い場合に対処するために、前記掲示板１の下側に縦連結の掲示板１ｂを連結した状態を示すものである。
【００７９】
該縦連結の掲示板１ｂは、前記掲示板１と略同様の構成を有しているが、その上下長さが前記掲示板の上下長さの略半分であることから、前記横補強枠１２は省略されている。
【００８０】
かかる構成を有する掲示板１と縦連結の掲示板１ｂは、前記と略同様に構成された支柱枠体５の上下部分に取り付られている。該支柱枠体が前記支柱枠体と異なるのは、図３３に示すように、下の連結杆８１を、より下側に配置することに加え、支柱７９の中間高さ位置に中間の連結杆１１８を配置した点である。該中間の連結杆１１８は、その両端に、前記下の横枠９の上の側面６６に当接し得る固定片１２４が突設され、且つ該固定片１２４には、上下の横枠７，９に設けられている前記取付孔１０１，１０１と位置合わせして固定孔１２８が設けられている。
【００８１】
かかる構成を有する支柱枠体５に上下の掲示板１，１ｂを取り付けるには、図３２、図３４に示すように、先ず、上の連結杆８０の両端に設けられたコ字状部材９７ａ，９７ａに、前記掲示板１の上の横枠７を前記と同様にして取り付ける。これにより、前記固定片１２４が下の横枠９の上の側面６６に当接した状態となり、且つ前記固定孔１２８が前記取付孔１０１，１０１と位置合わせされる。その後、下に位置する前記縦連結の掲示板１ｂの上の横枠７を前記掲示板１の下の横枠９に下方から当接させると共に、下の連結杆８１の両端に設けられたコ字状部材９７ａ，９７ａに、前記縦連結の掲示板１ｂの下の横枠９を  前記と同様にして取り付ける。
【００８２】
そして上下の掲示板１，１ｂ相互を連結する際は、掲示板１の下の横枠９と縦連結の掲示板１ｂの上の横枠７とが重ね合わせられているため、図３２、図３５に示す如く、連通状態にある固定孔１２８と取付孔１０１，１０１に連結ピン１３１を上から落とし込み状態に挿入する。これにより、上下の掲示板１，１ｂの連結部分は支柱７９，７９と一体化する。
【００８３】
なお、このようにして掲示板を上下に連結する場合も、前記と同様にして横連結の掲示板１ａが連結されることがある。
【００８４】
〔第２の実施の形態〕
図３６〜３７は、本発明に係る掲示板１の他の態様を示すもので、支持片３９の構成以外は前記第１の実施の形態におけると同様である。該支持片３９は、基板３の裏面側から前記開口部２０を覆う台座片４０の表側に、前記開口部２０に嵌め入れられる一体の嵌入突部４１を接着して形成されている。
【００８５】
該嵌入突部４１は、ゴム質素材や、コルク等の木質素材、フェルト等の、ポスター支持に適した素材を用いて円板状に形成されており、前記と同様にして開口部２０に嵌め入れられることによって、その表面（支持片３９の表面）１３２が基板３の表面１５と略面一となるように寸法設定されている。なお、本実施の形態においては、嵌入突部４１の直径を開口部２０の直径よりも若干小さく設定している。
【００８６】
該嵌入突部４１の裏面は、前記と同様にして基板３の裏面３８に接着される、ゴム質素材からなる台座片４０の表側に凹設された円形凹部４２の底面４３に接着される接着面１３３とされると共に、その表面は、図３８に示すように前記ポスター２の裏面４９に接着される接着面１３４とされている。そして、該嵌入突部４１の裏側の接着面１３３が、前記円形凹部４２の底面４３に、ポスター２の支持に支障がない強度で接着されることによって、ポスターを支持する支持片３９が構成される。又、表側の接着面１３４には、図３６に示すように、摘み片５６を具えた剥離シート５７が貼着されており、該剥離シート５７を引き剥がすことによって、露出された接着面１３４が前記基板３の表面１５と略面一となる。なお基板３の肉厚が２ｍｍ程度と厚く形成される場合は、図３９に示すように、前記のような円形凹部４２を設けることなく、台座片４０の表側１３５に嵌入突部４１を直接に接着することもある。
【００８７】
又前記実施の形態におけると同様に、基板３に接着された前記台座片４０を、例えばアルミニウム板を屈曲して形成したカバー部材５９でカバーすることにより、該台座片４０を補強している。
【００８８】
かかる構成を有する掲示板１にポスター２を掲示する要領を、第２の区画１７に掲示する場合に代表させて説明すれば、図４０に示すように、該ポスター２の四隅部分７３，７３，７３．７３を、上下左右の位置決め線７５，７５，７５，７５と位置合わせして後、図４０〜４１で示すように、中間に位置する左右の支持片３９，３９に、前記剥離シート５７が付着したままの状態で、ポスター２の中間部分１０６，１０６を画鋲７１，７１で仮止めする。その後、ポスターの上半分１０９を手前に倒し、上段の嵌入突部４１，４１の剥離シート５７，５７を前記摘み片５６を指先で把持して引き剥がす。これにより、前記接着面１３４が露出する。その後図４２に示すように、ポスターの上半分１０９を起こして前記基板３の表面１５に密着させ、その左右部分１１０，１１１を、露出した各接着面１３４に押し付ける。
【００８９】
その後、前記左右の画鋲７１，７１を取り外すと共にポスター２の下半分１１２を手前に捲くり上げ、残りの嵌入突部４１に関して、前記剥離シート５７を引き剥がす。然る後、図４３に示すように、ポスターの下半分１１２を垂らして前記基板３の表面１５に密接させ、その左右部分１１３，１１５を、露出した各接着面１３４に押し付ける。これにより、ポスターの下半分１１２が各接着面１３４に接着されることになる。なお図３８においては、補助的に、ポスター２を支持片３９に画鋲７１で止着した場合が示されている。
【００９０】
これらの工程を経て、前記ポスター２を第１、第２の区画１６，１７に密着状態に安定して掲示できる。なお本実施の形態においては、前記ポスター２に対する嵌入突部４１の接着力を、前記台座片４０に対する前記嵌入突部４１の接着力よりも大きく設定し、図４４に示すようにポスター２を剥がしたときに、該嵌入突部４１が、ポスター２の裏面４９に接着したままで前記台座片４０から分離されるようになされている。このように接着力を異ならせる手段としては、例えば、接着力の異なる２種類の接着剤を用いたり、接着面積を異ならせることを挙げることができる。従って、次回の選挙に備えて掲示板１を補修する際は、剥離シート５７が貼着された新たな嵌入突部４１を、前記開口部２０に嵌め入れて押し付けるだけでよく、これにより、該嵌入突部４１の裏面が前記台座片４０に接着され、所要の掲示板１が得られることとなる。
【００９１】
〔第３の実施の形態〕
図４５〜４９は、本発明に係る掲示板１のその他の態様を示すものであり、ポスター２を画鋲止めによって掲示可能としたものである。
【００９２】
該掲示板１は、図４５〜４６に示すように、前記と同様に形成された基板３の表面１５に、前記と同様に第１の区画１６及び第２の区画１７が設けられ、該第１、第２の区画１６，１７における画鋲止め可能部分が、前記と同様に設けられた開口部２０で形成されている。
【００９３】
該開口部２０は、例えば直径が１６ｍｍの円形孔として形成されており、その配置状態は、前記第１の実施の形態におけると同様で、第１の区画１６にあっては上下方向に６個並設されると共に、第２の区画１７にあっては上下方向に３個並設されている。
【００９４】
又、画鋲７１のピン７２を突き刺し状態で支持し得る支持片３９を、図４９に示すように、その表面側の嵌入突部４１を前記開口部２０に嵌め入れて前記基板３に接着してなる。該支持片３９は、基板３の裏面側から前記開口部２０を覆うように該基板３の裏面３８に接着されるゴム質素材からなる、例えば矩形板状を呈する台座片４０の表側に、前記開口部２０に嵌め入れられる円板状の嵌入突部４１を接着して形成されている。
【００９５】
該円板状の嵌入突部４１は、ゴム質素材や、コルク等の木質素材、フェルト等の、画鋲止めに適した素材を用いて円板状に形成されており、前記開口部２０に嵌め入れられることによって、その表面（支持片３９の表面）１３６が基板３の表面１５と略面一となるように寸法設定されている。又該嵌入突部４１は、その直径が例えば１４ｍｍに設定されており、前記嵌入突部４１の外周面１３７と前記開口部２０の内周面１３９との間に、図４６〜４７に示すように、全周に亘って、溝幅が１〜２ｍｍ程度、例えば１ｍｍの間隙１４０が周設されている。
【００９６】
又前記と同様にして、第１、第２の区画１６，１７には、掲示されるポスター０の四隅部分７３，７３，７３，７３の取付け位置を明示するＬ字状の位置決め線７５，７５，７５，７５が、図４５〜４７に示すように、開口部２０の外側に位置させて、且つ前記隅部分７３と重なるように印刷されている。
【００９７】
然して、かかる構成を有する掲示板１の第１、第２の区画１６，１７にポスター２を掲示する際は、該ポスター２の四隅部分７３，７３，７３，７３を例えば図４８に示すように、四隅の位置決め線７５，７５，７５，７５に位置合わせして基板３の表面１５に当接させる。その後、前記嵌入突部４１が存する部分でポスター２を画鋲止めする。嵌入突部４１の表面（支持片３９の表面）１３６と基板３の表面１５が略面一であるために、該嵌入突部４１が存する場所が分かりにくいように思われるが、ポスターの表面１０７（図４９）を、基板３に向けて指先で押圧しながら撫でることによって、前記嵌入突部４１の周囲に形成されている前記間隙１４０を知覚できるため、嵌入突部４１の位置を容易に判別できる。従って図４９に示すように、画鋲７１のピン７２を支持片３９に正しく突き刺すことができる。又このように間隙１４０が形成されていて、嵌入突部４１の外周面１３７が開口部２０の内周面１３９から完全に分離されているために（図４７）、該嵌入突部４１が特にゴム質素材から形成されているときは、ポスター２が指先で押圧されたときに該嵌入突部４１の表面が弾性圧縮するので、該嵌入突部４１の位置を一層容易に判別できる。
【００９８】
従って、前記嵌入突部４１が存する部分でポスター２を支持片３９に正しく画鋲止めでき、これにより、ポスター２を基板３の表面に密着状態で安定して掲示できる。なお図４９に示すように、前記と同様構成のカバー部材５９が台座片４０を支持しているため、画鋲７１を押圧したときに、台座片４０が基板裏側に撓み変形する恐れがなく、支持片３９に画鋲のピン７２を安定的に突き刺すことができる。
【００９９】
かかる構成を有する掲示板１は、前記支持片３９が画鋲のピンを突き刺し状態で支持し得る限り、次回選挙でもそのまま使用できる。なお該支持片３９の画鋲支持力が低下した場合は、前記カバー部材５９を取り外して後、支持片３９を交換する。
【０１００】
〔第４の実施の形態〕
図５０〜５３は、本発明に係る掲示板１のその他の態様を示すものであり、前記開口部２０が存する部位において、例えば、プレス加工によって円形の凹部１４１が設けられ、該凹部１４１に支持片３９が嵌め入れられた状態で、該支持片３９が、その裏面の接着面１４２で該凹部１４１の底面１４３に接着されている。
【０１０１】
該支持片３９は、前記凹部の底面１４３に、ポスター２の支持に支障がない強度で接着される円板状の基片４５に、鉤状をなす第１の係止片４６を設けてなる第１の面状ファスナ４７と、ポスター２の裏面４９に接着する円板状の基片５０に、前記第１の係止片４６と着脱可能に係合し得るループ状をなす第２の係止片５１を設けてなる第２の面状ファスナ５２を以って形成されている。そして、該第１、第２の面状ファスナ４６，５２が係合一体化せしめられた状態で、該第２の面状ファスナ５２の基片５０の表面（支持片３９の表面）５３が前記基板３の表面１５と略面一となるように設定されると共に、該第２の面状ファスナ５２の基片５０の表面５３が、前記ポスター２の裏面４９に接着する接着面５５とされている。そして該接着面５５には、前記と同様にして剥離シート５７が貼着されている。
【０１０２】
かかる構成を有する掲示板１にポスター２を掲示する要領は前記第１の実施の形態で説明したところと同様であり、前記接着面５５における接着によって、ポスター２を、前記第１、第２の区画１６，１７に密着状態に安定して掲示できる。又、再使用に備えての掲示板の補修要領も、前記第１の実施の形態で説明したところと同様である。
【０１０３】
なお本実施の形態においては、前記ポスター２の裏面４９に対する前記第２の面状ファスナ５２の接着力を、前記第１、第２の係止片４６，５１相互の係合力よりも大きく設定し、図５３に示すように、ポスター２を剥がしたときに、前記第２の面状ファスナ５２が、該ポスター２に接着したままで前記第１の面状ファスナ４７から分離されるように構成することもできる。ポスターを剥がしたときに、第２の面状ファスナ５２が第１の面状ファスナ４７から分離されないときは、残った第２の面状ファスナ５２を強制的に除去すればよく、この除去は、第１第２の係止片４６，５１の係合解除によって容易に行うことができる。
【０１０４】
図５４〜５６は、基板３に凹部１４１を設けた掲示板１の他の態様を示すものであり、該凹部１４１に支持片３９が嵌め入れられた状態で、該支持片３９がその裏面の接着面１４５で該凹部１４１の底面１４３に、ポスターの支持に支障がない強度で接着されている。又、該支持片３９の表面１４６が、前記基板３の表面１５と略面一に設定され、該支持片３９の表面は、ポスター２の裏面に接着する接着面１４６とされると共に、該接着面１４６には、前記と同様にして剥離シート５７が貼着されている。該支持片３９は、ゴム質素材やコルク等の木質素材、フェルト等のポスターを支持し得る素材を以って円板状に形成されている。
【０１０５】
かかる構成を有する掲示板１にポスター２を掲示する要領は前記第２の実施の形態で説明したところと同様であり、前記接着面１４６における接着によって、ポスター２を、前記第１、第２の区画１６，１７に密着状態に安定して掲示できる。
【０１０６】
本実施の形態において、前記ポスター２の裏面４９に対する支持片３９の接着力を、前記凹部１４１の底面１４３に対する前記支持片３９の接着力よりも大きく設定し、図５６に示すようにポスターを剥がしたときに、該支持片３９が、ポスター２の裏面４９に接着したままで前記凹部１４１から分離されるように構成することもできる。このように接着力を異ならせる手段としては、例えば、接着力の異なる２種類の接着剤を用いたり、接着面積を異ならせることを挙げることができる。このように構成した場合は、再使用に備えて掲示板１を補修する際、支持片が既に除去されているために、剥離シート５７が貼着された新たな支持片３９を、前記凹部１４１に嵌め入れて押し付ければよく、これにより、該支持片３９の裏面の接着面１４５が前記凹部１４１の底面１４３に接着され、所要の掲示板１が形成されることとなる。ポスターを剥がしたときに支持片３９が凹部１４１から分離されないときは、残った支持片を強制的に除去すればよい。
【０１０７】
図５７は、基板３に凹部１４１を設ける掲示板１のその他の態様を示すものであり、前記凹部１４１に嵌め入れた支持片３９においてポスター２を画鋲止め可能としてなる。該支持片３９は、ゴム質素材やコルク等の木質素材、フェルト等の画鋲７１のピン７２を突き刺し状態で支持し得る素材を以って形成されており、該支持片３９の表面１５０は、前記基板２の表面１５と略面一に設定されている。
【０１０８】
このように構成する場合、同図に示すように、ポスターの表側からでも支持片３９の位置を判別し易するするために、該支持片３９の外周面１５１と凹部の内周面１５２との間に、全周に亘って溝幅が１〜２ｍｍ程度、例えば１ｍｍの間隙１５３を周設するのがよい。
【０１０９】
図５８は、基板３に円形の凹部１４１を設け、該凹部１４１に支持片３９を嵌め入れて固定した場合のその他の態様を示すものであり、該凹部１４１の底部分１５５に、例えば２ｍｍ程度の幅を有する縁部分１５６を周囲に残して、直径が１６ｍｍ程度の円形の開口１５７が設けられている。そして該凹部１４１に固定される支持片３９は、ゴム質素材や木質素材、フェルト等を用いて一体に形成されており、該凹部１４１に嵌まり合う表面側部１５９の裏面に、前記円形の開口１５７に挿入されて前記凹部１４１の底部分１５５の裏側に突出する裏面側部１６０が一体に設けられている。そして、該表面側部１５９の裏面１６１が前記凹部１４１の底面１６２に接着されている。この場合も、前記と同様にして間隙１５３を周設するのがよい。
【０１１０】
凹部１４１の底部分に前記のような開口１５７を設けない場合であって、ポスターを支持片３９に画鋲止め可能に構成する場合は、画鋲７１のピン７２の長さを考慮して凹部を深く形成する必要があるが、このように構成することにより凹部を浅く形成できるため、凹部１４１をプレス加工で設けるときは、その加工が容易となる。
【０１１１】
〔第５の実施の形態〕
図５９〜６０は、本発明に係る掲示板１のその他の態様を、選挙用掲示板として応用された場合について示すものであり、立候補者が多い場合に好都合に対処できるように、前記と同様構成の第１の区画１６と第２の区画１７が表裏に設けられている。
【０１１２】
図６１は、かかる構成を有する掲示板１の下側に縦連結の掲示板１ｂを連結し、且つ、該掲示板１，１相互を横方向に連結すると共に該縦連結の掲示板１ｂ，１ｂ相互を横方向に連結して、これらの掲示板を支柱枠体５に取り付けた状態を示すものである。
【０１１３】
該掲示板１は、図６２〜６５に示すように、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されている。
【０１１４】
前記芯材１８３は、例えば、５ｍｍ肉厚で２０ｍｍ幅のアルミニウム製の上下左右の枠片１８５，１８６，１８７，１８８の端部相互を留継ぎして矩形枠１８９を形成し、該矩形枠１８９の左右の枠片１８７，１８８の中央部位相互を、１ｍｍ肉厚で２０ｍｍ幅のアルミニウム製の横桟１９０で連結した構成を有している。
【０１１５】
本実施の形態においては、各接合部を補強するために、図６６に示す如く、枠片相互の接合部の直角をなす内面１９１，１９２及び、左右の枠片１８７，１８８と前記横桟１９０との接合部に形成された直角をなす内面１９３，１９５にＬ字状補強片１９６の各片１９７，１９９を当接させ、該各片１９７，１９９を、接着やスポット溶接等の手段により前記内面に固定している。
【０１１６】
又前記前後の基板３，３は、矩形板状をなす例えばアルミニウム板を以ってなり、その表面２００には、図６４〜６８に示すように、第１の区画１６と第２の区画１７が設けられると共に、各区画１６，１７には、直径が例えば２０ｍｍの円形の開口部２０が設けられている。該第１の区画１６には、左右２列で上下６個の開口部２０が設けられると共に、第２の区画１７には、左右２列で上下３個の開口部２０が設けられている。そして該前後の基板３，３には、夫々の開口部２０が同位置に設けられている。従って、前後の基板３，３を向かい合わせた状態で、図６３に示すように、前後の開口部２０，２０が完全に合致する。
【０１１７】
かかる構成を有する前後の基板３，３は、図６２〜６３に示すように、ゴム質素材からなる台座片２０２を挟んで、その外周縁２０３が前記芯材１８３の外周縁２０５に合致せしめられ、周縁部分２０６，２０６が前記矩形枠１８９の表裏の面２０７，２０９に当接状態とされ、且つ基板３，３の中間部分２１０が、前記横桟１９０の表裏の面２１１，２１２に当接状態とされている。このように形成された当接部分２１３は、該前後の基板３，３が前記芯材１８３に接着やスポット溶接、ビス止め等の手段で固定されることにより、芯材１８３の表裏面に固定されている。又、前記台座片２０２は、図６２〜６３に示すように、前記前後の基板３，３に設けた各開口部２０を内側から覆うように前後の基板３，３間に介在せしめられる。
【０１１８】
該台座片２０２を前後の基板３，３間に介在させて該基板３，３と芯材１８３と台座片２０２とを一体化するには、図６９に示すように、一方の基板３ａ上に前記芯材１８３を、両者の外周縁２０３，２０５を合致させて載置し、この状態で該基板３ａと芯材１８３とを例えば接着により固定する。その後、上の枠片１８５と横桟１９０との間及び、横桟１９０と下の枠片１８６との間に、上下方向に並設された３個の開口部２０，２０，２０を図６９に一点鎖線で示すように同時に覆う如く、５ｍｍ肉厚で５０ｍｍの幅を有するゴム質素材からなる長方形板状の台座片２０２を嵌め入れ、前記基板３ａに接着する。その後、各台座片２０２の表面２１５及び前記芯材１８３の表面２１６に接着剤を塗布し、然る後、他方の基板３ｂを、図６２〜６３に示すように、その外周縁２０３を前記芯材１８３の外周縁２０５に合致させて、該芯材１８３及び台座片２０２を覆うように貼着する。これにより、該他方の基板３ｂに設けられた各開口部２０が前記台座片２０２により裏側から覆われた状態になる。これにより、前後の基板３，３と芯材１８３と各台座片２０２とが一体化される。然る後、図６３、図６７〜６８に示すように、前記台座片２０２の表面２１７及び裏面２１９に、前後の基板３，３に設けられている前記開口部２０に嵌め入れられる、ゴム質素材からなる直径が例えば２０ｍｍの円板状の嵌入突部４１を接着する。該台座片２０２と、これに接着された嵌入突部４１とにより、画鋲を突き刺し状態に保持する支持片３９が形成される。
【０１１９】
又前記縦連結の掲示板１ｂは、本実施の形態においては図６１、図７０〜７２に示すように、前記掲示板１と略同様の構成を有しており、その肉厚は、該掲示板１の肉厚と等しく形成されている。又、前記と同様にして、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されているが、その上下長さは前記掲示板１の上下長さの略半分であることから、前記横桟１９０は省略されている。
【０１２０】
図７３は、前記掲示板１のみを、その一方の基板３ａを表にして支柱枠体５に取り付けた状態を示すものであり、第２の区画１７が上下二段に形成されており、夫々の第２の区画１７には、各候補者のポスター掲示場所を番号表示する数字２２０が、図７３に示すように、上から下に向けて数が大きくなり且つ右（第１の区画１６側）から左に向けて数が大きくなるように付されている。
【０１２１】
又図６１は、前記掲示板１を垂直面内で図７４（Ａ）に矢印で示すように表裏反転して、図７４（Ｂ）に示すように、他方の基板３ｂを表にした状態で、該掲示板１を前記支柱枠体５に取り付けると共に、その下側に位置させて、前記縦連結の掲示板１ｂを支柱枠体５に取り付けた状態を示すものである。このように上下に取り付けられた掲示板１と縦連結の掲示板１ｂの表面には、図６１に示すように、第２の区画１７が上下三段に形成されており、夫々の第２の区画１７には、各候補者のポスター掲示場所を番号表示する数字２２０が、図６１に示すように、上から下に向けて数が大きくなり且つ右（第１の区画１６側）から左に向けて数が大きくなるように付されている。なお図７５は、掲示板１の下側に縦連結の掲示板１ｂを連結し、且つ、該掲示板１，１相互を横方向に連結すると共に該縦連結の掲示板１ｂ，１ｂ相互を連結して支柱枠体５に取り付けた状態を裏側から見た斜視図である。
【０１２２】
前記数字２２０は、前記基板３に直接印刷してもよいのであるが、本実施の形態においては、図７６〜７７に示すように、第２の区画１７の外周縁部分に配置された６個の開口部２０の内側に位置させて、数字が記載された樹脂シート２２１を、剥離可能な接着剤により基板３に貼着して行っている。なお該樹脂シート２２１は、例えば０．３ｍｍ程度の肉厚のものを用いることができる。又該樹脂シート２２１は、透明シートでも半透明シートでも不透明シートでもよいが、基板３の表面に数字を直接付したと同様の印象を与える上からは、透明シートが好ましい。又本実施の形態においては、前記樹脂シート２２１の表面の外周縁に沿って、剥離紙２２２が貼着された両面粘着テープ２２３が例えば矩形枠状に貼着されている。従って、該剥離紙２２２を図７７に示すように引き剥がすことによって、図７６に示すように、ポスター２を貼着するための接着面２２５を形成できる。
【０１２３】
図７８〜７９は、前記剥離紙２２２を引き剥がすことにより露出された接着面２２５にポスター２の裏面４９を接着させると共に、該ポスター２を、前記支持片３９に画鋲７１で止着した状態を示すものである。
このようにポスター２を画鋲止めした場合、本実施の形態においては、前後の基板３，３に設けられた開口部２０，２０が前後対向状態にあるため、一方の基板３ａ側で突き刺した画鋲のピン７２が、図７８に示すように、他方の基板３ｂに設けられた前記嵌入突部４１にも突き刺さった状態でポスター２を画鋲止めできるため、掲示板１をより薄く形成できながら、ポスター２の画鋲止めを確実に行うことが可能となる。
【０１２４】
前記支柱枠体５は、図８０〜８１に示すように、図３３に示すと略同様の構成を有しているが、左右の支柱２２６，２２６間を連結する上下の連結杆２２７，２２９が中間の連結杆２３０と同一の構成を有する点で異なり、上下の連結杆２２７，２２９、中間の連結杆２３０の夫々の両端に、図８１に示すように固定孔２３１が設けられた１枚の固定片２２８が突設されている。
かかる構成を有する支柱枠体５に前記掲示板１を取り付けるには、図８２〜８３、図８４〜８５に示すような取着具２３２を用いて行う。
【０１２５】
図７３に示すように、掲示板１単独を支柱枠体５に取り付ける場合は、図８２に示すように、該掲示板１の裏面の上下端の左右に位置させて上の取着具２３２ａと下の取着具２３２ｂを取り付ける。該上の取着具２３２ａは、図８４、図８６に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。又下の取着具２３２ｂは、図８４、図８６に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。なお、基板面を損傷しないように、固着片２３５を、図８４、図８６に示す如く、ゴム板等の緩衝材２３９を介在させてビス固定する。
【０１２６】
然して、該取着具２３２ａ，２３２ｂを用いて、掲示板１を図７３に示すように支柱枠体５に取り付けるには、図８４に示すように、上下左右の取着具の有する取付片２３６を前記固定片２２８に載せると共に、連通状態にある前記固定孔２３１と取付け孔２３７に連結ピン２４０を上から落とし込み状態に挿入する。これにより、掲示板１は、上下左右の取着具を介して支柱枠体５に取り付けられることになる。
【０１２７】
又、図６１に示すように、前記掲示板１と縦連結の掲示板１ｂとを支柱枠体５の上下部分に取り付ける場合は、図８３に示すように、該掲示板１の裏面の上端左右に位置させて、前記上の取着具２３２ａ，２３２ａを取り付けると共に、該縦連結の掲示板１ｂの裏面の下端左右に位置させて、下の取着具２３２ｂ，２３２ｂを取り付ける。又、掲示板１と縦連結の掲示板１ｂとの接合部分に中間の取着具２３２ｃを取り付ける。
【０１２８】
該上下の取着具２３２ａ，２３２ｂは、図８５、図８７に示すように、前記した上下の取着具と同一構成のものであり、上の取着具２３２ａの固着片２３５が掲示板１の裏面にビス２３３で固定されると共に、該固着片２３５の上端において後方に突出するように取付片２３６が直角に屈曲されている。又、下の取着具２３２ｂの固着片２３５が縦連結の掲示板１ｂの裏面にビス２３３で固定されると共に、該固着片２３５の下端において後方に突出するように取付片２３６が直角に屈曲されている。又、前記中間の取着具２３２ｃは、図８５、図８７に示すように、上下に稍長い固着片２４１の上端において後方に突出するように、取付片２４２が直角に屈曲形成されており、該取付片２４２には、左右方向に稍長い取付け孔２３７が設けられている。該中間の取着具２３２ｃは、図８５、図８７に示すように、前記固着片２４１の上下部分２４１ａ，２４１ｂが、前記掲示板１の裏面の下端部分２４３と前記縦連結の掲示板１ｂの裏面の上端部分２４４に、ビス２３３で固定される。このように固定される左右の中間の取着具２３２ｃ，２３２ｃによって、掲示板１と縦連結の掲示板１ｂとが連結一体化される。
このように連結一体化した後、図８５に示すように、前記取着具の取付片２３６、取付片２４２を、前記支柱枠体５に設けられている対応の固定片２２８に載せると共に、連通状態にある固定孔２３１と取付孔２３７に連結ピン２４０を上から落とし込み状態に挿入すると、掲示板１と縦連結掲示板１ｂが、支柱枠体５の上下部分に取り付けられることになる。
【０１２９】
図６１、図７５は、前記掲示板１，１相互を横に連結し且つ前記縦連結の掲示板１ｂ，１ｂ相互を横に連結した状態を示すものである。この連結は、図８８〜９０に示すように、掲示板１及び縦連結の掲示板１ｂの側部に設けられた、左右隣り合う連結孔２４５，２４５に、コ字状連結具２４６の左右のネジ軸部２４７，２４７を、基板の表側から挿通させ、且つ、裏側に突出したネジ軸部２４７，２４７の先端側に座金２４８を介在させて袋ナット２４９を螺合し締め付けることによって行なう。
【０１３０】
前後の基板３，３を、芯材１８３を挟んで全体を一体化することによって掲示板を構成する場合、嵌入突部４１を嵌め入れるために前後の基板３，３に設ける開口部２０，２０は、図９１〜９２に示すように対向状態に設けられない場合もあるが、このように構成するときは、前記台座片２０２を、ポスター２を止着するために突き刺した画鋲７１のピン７２の先端が、裏側の基板３に当たらない厚さに設定する必要がある。その結果、前記芯材１８３の厚さを厚く設定する必要が生ずるため、図６３に示すように前後の開口部２０，２０を対向させる場合に比し、掲示板１や縦連結の掲示板１ｂの肉厚がより厚いものとなる。
【０１３１】
芯材１８３の表裏面に基板３，３を重ね合わせて全体を一体化することによって掲示板を構成する場合、該芯材１８３は、前記したアルミニウム等の金属製であることの他、木製や樹脂製であってもよい。又、前記支持片３９を構成する前記台座片２０２や嵌入突部４１は、前記したゴム質素材からなるものの他、コルク等の木質素材やフェルト等の、ポスター支持に適した素材を用いて構成できる。そして該嵌入突部４１は、第１の面状ファスナーと第２の面状ファスナーとから構成してもよい。
【０１３２】
又前記のように、樹脂シート２２１を基板３に貼着して数字２２０を付する場合、選挙が終わった後に、該樹脂シート２２１を引き剥がし、新たな樹脂シートを次回選挙に先立って貼着する他、前記接着面を除去し、次回選挙に先立って両面粘着テープを貼着することもある。又、基板３に樹脂シート２２１を貼着することによって数字を付す場合、ポスターを貼着するための前記両面粘着テープ２２３が樹脂シート２２１に貼着されないこともある。この場合は、ポスター２は、前記支持片３９において画鋲止めされる。
【０１３３】
前記縦連結の掲示板１ｂは、その前後の基板３，３に第２の区画１７が設けられ、該区画に、ポスターの掲示場所を示す数字等が付されることもある。
【０１３４】
又前記掲示板１の表裏反転は、図７４に示すように垂直面内で行なうことの他、図９３（Ａ）に示すように水平面内で行なってもよい。図９３（Ｂ）は、反転後の状態を示す。
【０１３５】
又、前後の基板３，３間に介在される芯材１８３は、該前後の基板３，３が該芯材１８３と一体化して掲示板を構成できる限り、図６４や図７１に示すような矩形枠状に形成されるものには特定されない。
【０１３６】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【０１３７】
（１）  本発明に係る掲示板を構成する基板に設ける開口部２０や凹部１４１の配置状態は、ポスターを、接着や画鋲止めによって或いはその併用によって基板に止着できるように設定されるものである。
前記実施の形態で説明したように、ポスターの四隅部分に対応する部位に設けられることの他、例えば、ポスターの上縁部分にのみ設けられることもある。又、左右に位置する開口部の中間部分や左右に位置する凹部の中間部分に設けられることの他、ポスターの中央部分に対応する部位にも設けられることがある。
又、前記開口部２０や凹部１４１、図５８に示す開口１５７の正面視の形態は、前記実施の形態で示したような円形を呈するものには特定されず、正方形状や長方形状に、又、楕円形状や半丸状、角形状に、更には、縦に長い溝状や横に長い溝状に、斜めに長い溝状等に形成されることもある。
そして、ポスターを支持する支持片３９が、これらの開口部２０や凹部１４１、開口１５７の形態に合わせて設けられる。図９４はその一例を示すものであり、長方形状の開口部２０に、支持片３９の表面側をなす嵌入突部４１を嵌め入れ、且つ該嵌入突部４１の外周面１３７と前記開口部２０の内周面１３９との間に全周に亘って間隙１４０を形成した状態を示すものである。
【０１３８】
（２）  基板３に設けた開口部２０を基板の裏面側から覆うように、支持片３９を該基板３に接着する場合、該支持片３９は、図９５に示すように、台座片４０と嵌入突部４１とを一体形成する場合もある。この場合の支持片の材質としては、ゴム質素材や木質素材、フェルト等を採用できる。
図９５においては、ポスター２を画鋲７１で止着した状態が示されているが、嵌入突部４１の表面にポスターを接着してもよい。接着した場合、補助的に画鋲止めしてもよい。
【０１３９】
（３）  支持片３９の一部をなす嵌入突部４１を、前記第１の実施の形態で示すように、第１の面状ファスナ４７と第２の面状ファスナ５２とにより構成する場合、ポスターを剥がしたときに、該第２の面状ファスナ５２がポスター２と分離して前記開口部２０に残るように構成されることもある。この場合は、掲示板の補修に先立って、該第２の面状ファスナ５２を強制的に除去する。この除去は、第１、第２の係止片４６，５１の係合解除によって容易に行うことができる。
【０１４０】
（４）  前記第２の実施の形態で示したように、ゴム質素材や木質素材、フェルト等からなる嵌入突部４１を台座片４０に接着して支持片３９を構成する場合において、該嵌入突部４１の表面の接着面１３４が、ポスター２０を剥がす際に該ポスターと分離して前記開口部２０に残るように構成されることもある。この場合は、掲示板の補修に先立って、残った支持片３９を強制的に除去する。
【０１４１】
（５）  図９６は、台座片４０を、ゴム質素材ではなくアルミニウム製やステンレス製等の金属製とし、該台座片４０に嵌入突部４１を接着することによって支持片３９を構成した態様を示すものである。
【０１４２】
（６）  画鋲のピンを突き刺し状態で支持する支持片３９を、ゴム質素材からなる台座片４０を具えるものとして構成する場合、前記のように、該台座片４０を補強するためにこれをカバー部材５９でカバーする場合があるが、基板３の裏面に対する台座片４０の接着面積が大きい場合や開口部２０の直径が小さい場合等、該支持片３９に対するポスターの画鋲止めを確実に行い得る限り、カバー部材が省略されることもある。
【０１４３】
（７）  図９７〜１００は、支柱枠体５に対する掲示板１の取り付けを、支柱７９に設けられた取付具１６７を用いて行う場合を示すものであり、該取付具１６７は、図９８〜１００に示すように、掲示板１を構成する前記上下の横枠７，９を下方から支持する受片１６９と、該受片１６９に上向きに立設されて該横枠７，９に設けた挿通孔１７０を挿通する立片１７１を具える、例えばＬ字状に形成されている。この場合、掲示板１の浮き上がりを阻止するために、図１００に示すように、該立片１７１をネジ軸として形成し、前記挿通孔１７０から突出するネジ軸部分１７２に袋ナット等のナット１７３を螺合し締め付けるのがよい。
【０１４４】
（８）  図１０１は、掲示板１を支柱枠体５に取り付ける他の態様を示すものであり、下段に位置する前記保持部材９７を、支柱相互を連結する連結杆１７５の端部の単クランプ９１に設けると共に、上段の保持部材９７を支柱７９に直接に設けた場合を示すものである。又図１０２は、支柱７９，７９相互を連結する連結部材１７６の上側において、上下の保持部材９７，９７を支柱７９に直接に設けた場合を示すものである。
【０１４５】
（９）  本発明に係る掲示板１において、支持片の表面は、ポスター２を基板３の表面１５に密着状態に安定して掲示させ得る限り、基板の表面１５に若干沈み、或いは若干突出することもある。
【０１４６】
（１０）前記基板３は、金属製の板体や硬質樹脂製の板体単独で構成されることの他、金属製の板体と硬質樹脂製の板体の複合板として構成されることもある。
【０１４７】
（１１）第１、第２の面状ファスナ４７，５２に設ける第１、第２の係止片４６，５１は、鉤状片とループ状片との組み合わせによって構成されるだけではなく、相互に着脱可能に係合し得る各種の市販品と同様に構成できる。
【０１４８】
（１２）ポスター掲示場所を番号表示する数字等を、数字が記載された樹脂シートを基板に貼着することによって付する構成は、ポスター掲示面を一面のみ有する例えば図４に示す掲示板等にも応用できる。
【０１４９】
【発明の効果】
本発明は以下の如き優れた効果を奏する。
（１）  本発明に係る掲示板は、支持片の表面を基板の表面と略面一に設定しているため、ベニヤ板からなる従来の掲示板におけると同様に、ポスターを、基板表面に密着状態にして掲示できる。
画鋲止めすべき部分が基板表面から突出状態になる前記従来の掲示板によるときは、画鋲止めした部分の間が基板表面から浮いた状態となるため、前記のように、この浮いた部分に風や風雨が吹き込んだときにポスターが破れる恐れがあったのであり、又、この浮いた部分を粘着テープで基板に接着したときは、画鋲止めした部分でポスター表面に歪みが発生したり、ポスター面に乱反射を発生させる等の問題を招来した。
これに対して本発明によるときは、このような問題点を解消して、ポスターを、接着や画鋲止めにより確実且つ容易に、しかも外観よく掲示できることとなる。又、画鋲止めした部分の間や接着した部分の間を補助的に粘着テープで基板に接着した場合にも、画鋲止めした部分や接着した部分でポスター表面に歪みを発生させたり、ポスター面に乱反射を発生させるといった問題を招来しない。
【０１５０】
（２）  本発明に係る掲示板は、基板を金属製や硬質樹脂製としているため、従来のベニヤ板製の掲示板とは異なり再利用に耐え得る。従って本発明の掲示板が選挙用掲示板として応用された場合は、選挙毎に大量のベニヤ板や角材、棒材が消費されて公営選挙費用の高騰を招いたり資源の無駄使いとなる等の従来の問題点を解消し得ることとなる。
【０１５１】
（３）  基板に設けた開口部に支持片を固定する場合において、ポスターを支持する支持片を構成する嵌入突部を、互いに着脱自在に係合し得る第１の面状ファスナと第２の面状ファスナとの組み合わせによって形成し、該第２の面状ファスナの表面を、ポスターの裏面に接着する接着面として構成した場合は、該接着面に確実に接着させてポスターを掲示できる。
又、再使用に備えて掲示板を補修する際、ポスターを剥がしたときに第２の面状ファスナが第１の面状ファスナに固定されたまま残ったとしても、第１、第２の係止片の係合解除によって第２の面状ファスナを容易に除去できる。更に、第１の面状ファスナに対する新たな第２の面状ファスナの固定を、第１、第２の係止片を向き合う状態にして該第２の面状ファスナを押し付けるだけで容易に行うことができる。
特に嵌入突部を、第１の面状ファスナと第２の面状ファスナとにより構成した場合、ポスターに対する第２の面状ファスナの接着力を、第１、第２の面状ファスナ相互の係合力よりも大きく設定し、ポスターを剥がしたときに、前記第２の面状ファスナが該ポスターに接着したままで第１の面状ファスナから分離されるように構成したときは、ポスターを剥がすと同時に第２の面状ファスナが自動的に分離することになる。従って、第２の面状ファスナを除去する手間を省略でき、掲示板の補修に際して、新たな面状ファスナを第１の面状ファスナに固定する作業を、効率よく短時間で行い得ることとなる。
【０１５２】
（４）  又、基板に設けた凹部に支持片を固定する態様において、ポスターを支持する支持片を、互いに着脱自在に係合し得る第１の面状ファスナと第２の面状ファスナとの組み合わせによって形成し、該第２の面状ファスナの表面を、ポスターの裏面に接着する接着面として構成したときは、該接着面において確実に接着させてポスターを掲示させ得る。
この場合も、再使用に備えて掲示板を補修する際、ポスターを引き剥がしたとき、第２の面状ファスナが第１の面状ファスナに固定されたまま残ったとしても、第１、第２の係止片の係合解除によって第２の面状ファスナを容易に除去できる。又、第１の面状ファスナに対する新たな第２の面状ファスナの固定を、第１、第２の係止片を向き合う状態にして該第２の面状ファスナを押し付けるだけで容易に行うことができる。
特に、嵌入突部を第１の面状ファスナと第２の面状ファスナとにより構成した場合、ポスターに対する第２の面状ファスナの接着力を、第１、第２の面状ファスナ相互の係合力よりも大きく設定し、ポスターを剥がしたときに、前記第２の面状ファスナが該ポスターに接着したままで第１の面状ファスナから分離されるように構成したときは、ポスターを剥がすと同時に第２の面状ファスナが自動的に分離することになる。従って、第２の面状ファスナを除去する手間を省略でき、掲示板の補修に際して、新たな面状ファスナを第１の面状ファスナに固定する作業を、効率よく短時間で行い得ることとなる。
【０１５３】
（５）  基板に設けた開口部に支持片を固定する態様において、該支持片を、第１、第２の面状ファスナからなる嵌入突部を具えるものとして構成し、又、基板に設けた凹部に支持片を固定する態様において、該支持片を第１、第２の面状ファスナによって構成した場合は、台座片や凹部の底面に接着されている第１の面状ファスナが該開口部や凹部に納まって保護された状態にあるため、台座片や凹部に対する接着部分が剥がれる等の損傷を受けにくく、掲示板の再使用に好都合である。
【０１５４】
（６）  支持片を構成する嵌入突部を、表面がポスターの裏面に対する接着面として形成されたゴム質素材や、コルク等の木質素材、フェルト等を用いて形成し、これを、台座片や凹部の底面に接着する構成とした場合、ポスターを剥がしたときに該嵌入突部が分離されずに残ったときは、該嵌入突部を除去して、新たな嵌入突部を台座片や凹部の底面に接着することにより、新たなポスター支持部を容易に形成できる。
この場合、ポスターに対する嵌入突部の接着力を、台座片や凹部の底面に対する嵌入突部の接着力よりも大きく設定し、ポスターを剥がしたときに、該嵌入突部が、ポスターの裏面に接着したままで台座片や凹部の底面から分離されるように構成するときは、ポスターを剥がしたときに嵌入突部が自動的に分離することになる。従って、第２の面状ファスナを除去する手間を省略でき、掲示板の補修に際して、新たな面状ファスナを第１の面状ファスナに固定する作業を、効率よく短時間で行い得ることとなる。
【０１５５】
（７）  ポスターを支持する支持片を、ゴム質素材やコルク等の木質素材、フェルト等の、画鋲のピンを突き刺し状態で支持し得る素材を以って構成した場合は、ポスターを画鋲止めによって容易に掲示できる共に、これらの支持片が、画鋲のピンを突き刺し状態に支持し得る限り、掲示板をそのまま再使用できる利点がある。
又、このようにポスターを画鋲止めする場合、嵌入突部の外周面と開口部の内周面との間に間隙を形成するときは、該嵌入突部の表面がポスターにより覆われた状態にあっても、ポスターの表面を指先で押圧することにより前記間隙を知覚できるので、嵌入突部の位置を容易に判別でき、該嵌入突部において正しく画鋲止めできることとなる。
【０１５６】
（８）  基板に設けた凹部に支持片を固定する場合において、該凹部の底部分に開口を設けたときは、該支持片を、該開口において裏側に所要長さに突出状態となし得る。かかることから、凹部を浅く形成しながら、ポスターを、該開口において支持片に確実に画鋲止めできることとなる。
このような開口を設けない場合においてポスターを画鋲止めせんとするときは、画鋲のピンの長さを考慮して凹部を深く形成する必要があるが、該開口を設けることによって、凹部を浅く形成できる。従って、凹部をプレス加工で設ける場合、その加工が容易となる利点がある。
【０１５７】
（９）  基板に設けた開口部に支持片を固定する態様において、該支持片をカバー部材で補強する場合は、該開口部が大きいときにも、基板裏側への支持片の撓み変形を防止して該支持片に安定的に画鋲を突き刺し得る利点がある。
【０１５８】
（１０）ポスターを掲示するための前後の基板を芯材の表裏面に重ね合わせ、該芯材と前後の基板を一体化して掲示板を構成するものとし、その際、該前後の基板の夫々に設けられた開口部を塞ぐように、該前後の基板間に、ポスターを支持する支持片を介在させる構成とした場合は、掲示板の表裏をポスター掲示のために有効利用できる。
例えば、該掲示板を、その一方の基板を表にしてこれを支柱枠体に取り付けることにより、該掲示板単独でポスターを掲示できる一方、該掲示板を反転して他方の基板を表にしてこれを支柱枠体に取り付けると共に、該掲示板の下側に位置させて、他の掲示板を該支柱枠体に取り付けることにより、掲示スペースを合理的に確保して、多数枚のポスターを合理的に掲示できることになる。
【０１５９】
（１１）芯材の表裏面に前後の基板を重ね合わせ且つ全体を一体化して掲示板を構成する際、該前後の基板に設けられている開口部を対向状態としたときは、次のような特別な効果が得られる。
即ち、一方の基板の開口部において画鋲のピンを突き刺すことによりポスターを掲示する場合、他方の基板に設けられた開口部に存する支持片にもピンが突き刺さった状態でポスターを画鋲止めできるため、掲示板をより薄く形成できながら、ポスターの画鋲止めを確実に行い得る利点がある。
【０１６０】
（１２）第１の掲示板と第２の掲示板とを用いる本発明に係る選挙用掲示装置によるときは、該第１の掲示板のいずれかの基板を利用して、ポスターを通常に掲示できる一方、該第１の掲示板を表裏反転して前記第２の掲示板と共に用いる場合は、ポスターの掲示場所を番号表示する数字が連続状態に付された拡大掲示面を形成できるため、多数枚の選挙用ポスターを合理的に掲示できる利点がある。
【図面の簡単な説明】
【図１】本発明に係る掲示板を、これを取り付けるための支柱枠体と共に示す斜視図である。
【図２】掲示板を支柱枠体に取り付けた状態を示す斜視図である。
【図３】掲示板の第１、第２の区画にポスターを掲示した状態を示す正面図である。
【図４】掲示板をその正面視で示す斜視図である。
【図５】掲示板をその裏面視で示す斜視図である。
【図６】掲示板を示す断面図である。
【図７】掲示板に設けられたポスター支持部分を示す断面図である。
【図８】掲示板を示す部分正面図である。
【図９】掲示板を示す部分断面図である。
【図１０】掲示板のポスター支持部分を示す断面図である。
【図１１】掲示板の第１の区画を示す部分正面図である。
【図１２】掲示板の第２の区画を示す部分正面図である。
【図１３】掲示板のポスター支持部分の構成を示す分解斜視図である。
【図１４】掲示板のポスター支持部分の構成を示す分解斜視図である。
【図１５】掲示板のポスター支持部分の構成を説明する分解した断面図である。
【図１６】ポスターの一部分を剥がした状態を示す斜視図である。
【図１７】その断面図である。
【図１８】ポスターを支持片に接着し且つ画鋲止めした状態を示す断面図である。
【図１９】支柱枠体の上側部分を示す斜視図である。
【図２０】支柱枠体に対する掲示板の取り付け構造を説明する斜視図である。
【図２１】掲示板を支柱枠体に取り付けた状態を示す拡大断面図である。
【図２２】掲示板を支柱枠体に取り付けた状態を示す全体断面図である。
【図２３】掲示板の第１、第２の区画にポスターを掲示するに際し、ポスターの中間部分を支持片に画鋲止めした状態を示す正面図である。
【図２４】その画鋲止め部分を示す拡大断面図である。
【図２５】ポスターの上半分を掲示板に接着した状態を示す正面図である。
【図２６】その接着状態を示す断面図である。
【図２７】掲示板に接着されたポスターを適宜画鋲止めした状態を示す正面図である。
【図２８】掲示板相互を横方向に連結した状態を示す正面図である。
【図２９】掲示板相互の連結状態を示す斜視図である。
【図３０】掲示板相互の連結構造を説明する斜視図である。
【図３１】掲示板相互を縦方向に連結した状態を示す斜視図である。
【図３２】その連結状態を示す断面図である。
【図３３】掲示板相互を縦方向に連結する場合の支柱枠体を示す斜視図である。
【図３４】上の掲示板を支柱枠体に取り付けた状態を、支柱枠体に後付けされる下の掲示板と共に示す斜視図である。
【図３５】上下の掲示板相互の連結構造を説明する斜視図である。
【図３６】掲示板の他の態様を示す部分斜視図である。
【図３７】そのポスター支持部分を説明する断面図である。
【図３８】そのポスター支持部分にポスターを接着し且つ画鋲止めした状態を示す断面図である。
【図３９】台座片に対する嵌入突部の他の接着状態を示す断面図である。
【図４０】その掲示板にポスターを掲示するに際して、ポスターの中間部分を支持片に画鋲止めした状態を示す正面図である。
【図４１】画鋲止めした部分を示す断面図である。
【図４２】ポスターの上半分を掲示板に接着した状態を示す正面図である。
【図４３】ポスターを掲示板に接着した状態を示す正面図である。
【図４４】ポスターの一部分を剥がした状態を示す断面図である。
【図４５】本発明に係るその他の態様を示す斜視図である。
【図４６】その構成を説明する一部を分解した斜視図である。
【図４７】その掲示板の一部を拡大して示す正面図である。
【図４８】その掲示板の第１、第２の区画にポスターを画鋲止めにより掲示した状態を示す正面図である。
【図４９】その画鋲止め部分を示す断面図である。
【図５０】本発明に係るその他の態様を、一部を分解して示す部分斜視図である。
【図５１】その掲示板のポスター支持部分を示す断面図である。
【図５２】その掲示板にポスターを接着により掲示した状態を示す部分断面図である。
【図５３】掲示したポスターの一部分を剥がした状態を示す断面図である。
【図５４】本発明に係る掲示板のその他の態様を示す断面図である。
【図５５】その掲示板にポスターを接着により掲示した状態を示す部分断面図である。
【図５６】掲示したポスターの一部分を剥がした状態を示す断面図である。
【図５７】本発明に係る掲示板のその他の態様を示す断面図である。
【図５８】本発明に係る掲示板のその他の態様を示す断面図である。
【図５９】表裏がポスター掲示面とされた本発明に係る掲示板をその表側から見た斜視図である。
【図６０】その掲示板を裏側から見た斜視図である。
【図６１】その掲示板の使用状態を示す斜視図である。
【図６２】その掲示板を説明する一部欠切斜視図である。
【図６３】その掲示板を説明する断面図である。
【図６４】その掲示板の構成を説明する分解斜視図である。
【図６５】その掲示板の構成を説明する分解斜視図である。
【図６６】その掲示板を構成する芯材の構成を説明する平面図である。
【図６７】その掲示板の構成を説明する部分斜視図である。
【図６８】その掲示板の構成を説明する部分斜視図である。
【図６９】その掲示板の組立工程を説明する斜視図である。
【図７０】第２の区画が一列のみ設けられた掲示板の構成を説明する一部欠切斜視図である。
【図７１】その掲示板の構成を説明する分解斜視図である。
【図７２】その掲示板の構成を説明する分解斜視図である。
【図７３】掲示板の使用状態を説明する斜視図である。
【図７４】掲示面が表裏に設けられた掲示板の表裏反転作業を説明する斜視図である。
【図７５】本発明に係る選挙用掲示装置の使用状態を示す斜視図である。
【図７６】掲示板にポスター掲示場所を番号表示する数字を付する態様の一例を示す斜視図である。
【図７７】掲示板にポスターを接着により掲示する工程を説明する斜視図である。
【図７８】ポスターを掲示板に止着した状態を示す断面図である。
【図７９】ポスターを掲示板に止着した状態を示す正面図である。
【図８０】本発明に係る選挙用掲示装置に用いる支柱枠体を示す斜視図である。
【図８１】その部分斜視図である。
【図８２】本発明に係る選挙用掲示装置を構成する第１の掲示板に、上下の取着具を取り付けた状態を示す斜視図である。
【図８３】上下連設された掲示板に、上下及び中間の取着具を取り付けた状態を示す斜視図である。
【図８４】第１の掲示板を支柱枠体に取り付けた状態を示す断面図である。
【図８５】第１及び第２の掲示板を支柱枠体に取り付けた状態を示す断面図である。
【図８６】第１の掲示板に上下の取着具を取り付けた状態を示す斜視図である。
【図８７】上下連設された掲示板に上下及び中間の取着具を取り付けた状態を示す斜視図である。
【図８８】左右隣り合う掲示板相互を連結した状態を示す断面図である。
【図８９】その連結状態を示す斜視図である。
【図９０】その連結構成を説明する斜視図である。
【図９１】前後の基板に設ける開口部が対向状態にない掲示板を説明する断面図である。
【図９２】前後の開口部が対向状態にない掲示板をその使用状態で示す断面図である。
【図９３】掲示板の表裏反転を水平面内で行なう場合を示す斜視図である。
【図９４】開口部の他の態様を示す正面図である。
【図９５】ポスターを支持する支持片の他の態様を示す断面図である。
【図９６】ポスターを支持する支持片のその他の態様を示す断面図である。
【図９７】支柱枠体に対する掲示板の他の取り付け態様を説明する斜視図である。
【図９８】その場合における支柱枠体を示す斜視図である。
【図９９】その場合における、支柱枠体に対する掲示板の取り付け構造を説明する斜視図である。
【図１００】その支柱枠体に掲示板を取り付ける工程を説明する断面図である。
【図１０１】支柱枠体のその他の態様を示す斜視図である。
【図１０２】支柱枠体のその他の態様を示す斜視図である。
【図１０３】従来の掲示板を説明する断面図である。
【図１０４】従来の掲示板にポスターを掲示した状態を示す断面図である。
【図１０５】従来の掲示板の問題点を説明する斜視図である。
【符号の説明】
１  掲示板
２  ポスター
３  基板
５  支柱枠体
６  格子状枠体
７  上の横枠
９  下の横枠
１０  左の縦枠
１１  右の縦枠
１５  基板の表面
１６  第１の区画
１７  第２の区画
２０  開口部
３９  支持片
４０  台座片
４１  嵌入突部
４６  第１の係止片
４７  第１の面状ファスナ
５１  第２の係止片
５２  第２の面状ファスナ
５５  接着面
５７  剥離シート
５９  カバー部材
７１  画鋲
７９  支柱
９７  保持部材
１３４  接着面
１４１  凹部
１４６  接着面
１５３  間隙
１５７  開口
１８３  芯材
２０２  台座片
２２１  樹脂シート
【図１】
2004287375.tif 000003
【図２】
2004287375.tif 000004
【図３】
2004287375.tif 000005
【図４】
2004287375.tif 000006
【図５】
2004287375.tif 000007
【図６】
2004287375.tif 000008
【図７】
2004287375.tif 000009
【図８】
2004287375.tif 000010
【図９】
2004287375.tif 000011
【図１０】
2004287375.tif 000012
【図１１】
2004287375.tif 000013
【図１２】
2004287375.tif 000014
【図１３】
2004287375.tif 000015
【図１４】
2004287375.tif 000016
【図１５】
2004287375.tif 000017
【図１６】
2004287375.tif 000018
【図１７】
2004287375.tif 000019
【図１８】
2004287375.tif 000020
【図１９】
2004287375.tif 000021
【図２０】
2004287375.tif 000022
【図２１】
2004287375.tif 000023
【図２２】
2004287375.tif 000024
【図２３】
2004287375.tif 000025
【図２４】
2004287375.tif 000026
【図２５】
2004287375.tif 000027
【図２６】
2004287375.tif 000028
【図２７】
2004287375.tif 000029
【図２８】
2004287375.tif 000030
【図２９】
2004287375.tif 000031
【図３０】
2004287375.tif 000032
【図３１】
2004287375.tif 000033
【図３２】
2004287375.tif 000034
【図３３】
2004287375.tif 000035
【図３４】
2004287375.tif 000036
【図３５】
2004287375.tif 000037
【図３６】
2004287375.tif 000038
【図３７】
2004287375.tif 000039
【図３８】
2004287375.tif 000040
【図３９】
2004287375.tif 000041
【図４０】
2004287375.tif 000042
【図４１】
2004287375.tif 000043
【図４２】
2004287375.tif 000044
【図４３】
2004287375.tif 000045
【図４４】
2004287375.tif 000046
【図４５】
2004287375.tif 000047
【図４６】
2004287375.tif 000048
【図４７】
2004287375.tif 000049
【図４８】
2004287375.tif 000050
【図４９】
2004287375.tif 000051
【図５０】
2004287375.tif 000052
【図５１】
2004287375.tif 000053
【図５２】
2004287375.tif 000054
【図５３】
2004287375.tif 000055
【図５４】
2004287375.tif 000056
【図５５】
2004287375.tif 000057
【図５６】
2004287375.tif 000058
【図５７】
2004287375.tif 000059
【図５８】
2004287375.tif 000060
【図５９】
2004287375.tif 000061
【図６０】
2004287375.tif 000062
【図６１】
2004287375.tif 000063
【図６２】
2004287375.tif 000064
【図６３】
2004287375.tif 000065
【図６４】
2004287375.tif 000066
【図６５】
2004287375.tif 000067
【図６６】
2004287375.tif 000068
【図６７】
2004287375.tif 000069
【図６８】
2004287375.tif 000070
【図６９】
2004287375.tif 000071
【図７０】
2004287375.tif 000072
【図７１】
2004287375.tif 000073
【図７２】
2004287375.tif 000074
【図７３】
2004287375.tif 000075
【図７４】
2004287375.tif 000076
【図７５】
2004287375.tif 000077
【図７６】
2004287375.tif 000078
【図７７】
2004287375.tif 000079
【図７８】
2004287375.tif 000080
【図７９】
2004287375.tif 000081
【図８０】
2004287375.tif 000082
【図８１】
2004287375.tif 000083
【図８２】
2004287375.tif 000084
【図８３】
2004287375.tif 000085
【図８４】
2004287375.tif 000086
【図８５】
2004287375.tif 000087
【図８６】
2004287375.tif 000088
【図８７】
2004287375.tif 000089
【図８８】
2004287375.tif 000090
【図８９】
2004287375.tif 000091
【図９０】
2004287375.tif 000092
【図９１】
2004287375.tif 000093
【図９２】
2004287375.tif 000094
【図９３】
2004287375.tif 000095
【図９４】
2004287375.tif 000096
【図９５】
2004287375.tif 000097
【図９６】
2004287375.tif 000098
【図９７】
2004287375.tif 000099
【図９８】
2004287375.tif 000100
【図９９】
2004287375.tif 000101
【図１００】
2004287375.tif 000102
【図１０１】
2004287375.tif 000103
【図１０２】
2004287375.tif 000104
【図１０３】
2004287375.tif 000105
【図１０４】
2004287375.tif 000106
【図１０５】
2004287375.tif 000107
【手続補正書】
【提出日】平成15年12月10日(2003.12.10)
【手続補正１】
【補正対象書類名】明細書
【補正対象項目名】全文
【補正方法】変更
【補正の内容】
【特許請求の範囲】
【請求項１】芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを支持する支持片が介在されている選挙用の掲示板であって、
前後の基板の夫々の表面に、該ポスターを掲示するための区画が上下二段に且つ左右方向に複数形成され、夫々の区画には、各候補者のポスター掲示場所を番号表示する数字が付されており、一方の基板の表面には、上から下に向けて数が一つ大きくなり且つ、右から左に向けて、或いは左から右に向けて数が一つ大きくなるように数字が付されると共に、他方の基板の表面には、上から下に向けて数が一つ大きくなり、且つ、右から左に向けて、或いは左から右に向けて数が三つ大きくなるように数字が付されていることを特徴とする選挙用の掲示板。
【請求項２】芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを止着する画鋲のピンを突き刺し状態で支持する前記支持片が介在されていることを特徴とする請求項１記載の選挙用の掲示板。
【請求項３】前後の基板の夫々に設けられている前記開口部が対向状態であることを特徴とする請求項２記載の選挙用の掲示板。
【請求項４】請求項１記載の選挙用の掲示板（第１の掲示板）と、ポスターを掲示するための区画が表面の左右方向に複数形成された第２の掲示板とを支柱枠体に取り付け可能とした選挙用掲示装置であって、
前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段の区画に付された数字と連続するように数が大きくなる如く付されており、連続数字の付された各区画にポスターを掲示できることを特徴とする選挙用掲示装置。
【発明の詳細な説明】
【０００１】
【発明の属する技術分野】
本発明は、選挙用のポスターを掲示するために繰り返して使用可能であり、又、ポスターを確実且つ容易に、しかも外観よく掲示し得る選挙用の掲示板に関するものである。又、多数枚の選挙用のポスターを合理的に掲示し得る選挙用掲示板装置に関するものである。
【０００２】
【従来の技術】
選挙用のポスターを掲示するための従来の掲示板は、通常、所要大きさのベニヤ板を以って形成され、角材や棒材等を組み合わせて形成した支柱枠体にネジ釘等を用いて取り付けられていた。そして、該掲示板の表面に設けられた掲示用区画にポスターを接着剤や粘着テープ等で貼り付け、又、適宜、画鋲止めすることが行われていた。
【０００３】
しかしながらベニヤ板からなる従来の掲示板は、日光や風雨に弱く、又、接着剤を除去しにくい等、汚損や破損が激しいために再利用に耐え難いものであった。そのため選挙用のポスター掲示板にあっては、選挙の度に新しく作られ、選挙が終わると取り壊されて焼却処分されていた。従って、選挙毎に大量のベニヤ板や角材、棒材が消費され、公営選挙費用の高騰を招くばかりか、資源の無駄使いともなっていた。
【０００４】
【特許文献１】
特開２００１−３３１１３５号公報（第３頁、図３）
【特許文献２】
実用新案登録第３０４７９４７号公報（第３−４頁、図２）
【０００５】
【発明が解決しようとする課題】
本発明は、前記従来の問題点に鑑みて開発されたもので、選挙用のポスターを掲示するために繰り返して使用可能な選挙用の掲示板の提供を課題とするものであり、又、多数枚の選挙用のポスターを合理的に掲示し得る選挙用掲示装置の提供を課題とするものである。
【０００６】
【課題を解決するための手段】
前記課題を解決するため本発明は以下の手段を採用する。
即ち本発明に係る選挙用の掲示板は、芯材の表裏面に、ポスターを掲示するための金属製又は硬質樹脂製の前後の基板が重ね合わせられ、該芯材と該前後の基板が一体化されており、又、該前後の基板の夫々に設けられた開口部を塞ぐように、該前後の基板間に、ポスターを支持する支持片が介在されている選挙用掲示板であって、前後の基板の夫々の表面に、該ポスターを掲示するための区画が上下二段に且つ左右方向に複数形成され、夫々の区画には、各候補者のポスター掲示場所を番号表示する数字が付されている。一方の基板の表面には、上から下に向けて数が一つ大きくなり且つ、右から左に向けて、或いは左から右に向けて数が一つ大きくなるように数字が付されると共に、他方の基板の表面には、上から下に向けて数が一つ大きくなり、且つ、右から左に向けて、或いは左から右に向けて数が三つ大きくなるように数字が付されていることを特徴とするものである。
【０００７】
前記掲示板の好ましい態様の一つは、芯材の表裏面に、ポスターを掲示するための金属製又は硬質樹脂製の前後の基板を重ね合わせ、該芯材と該前後の基板を一体化し、又、該前後の基板の夫々に設けられた開口部を塞ぐように、該前後の基板間に、ポスターを止着する画鋲のピンを突き刺し状態で支持する前記支持片を介在させたことを特徴とするものである。
【０００８】
該掲示板において、前後の基板の夫々に設けられている前記開口部を対向状態とするのがよい。
【０００９】
本発明に係る選挙用掲示装置は、前記構成の選挙用の掲示板（第１の掲示板）と、ポスターを掲示するための区画が表面の左右方向に複数形成された第２の掲示板とを支柱枠体に取り付け可能としてなり、前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段の区画に付された数字と連続するように数が大きくなる如く付されており、連続数字の付された各区画にポスターを掲示できることを特徴とするものである。
【００１０】
【発明の実施の形態】
以下、本発明の実施の形態を図面に基づいて説明する。
図１〜２において本発明に係る選挙用の掲示板１は、選挙用のポスター２を掲示する掲示板であり、支柱枠体５に着脱可能に取り付けられるものである。
【００１１】
図３は、かかる構成を有する掲示板１（本発明にいう第１の掲示板）の下側に縦連結の掲示板１ｂ（本発明にいう第２の掲示板）を連結し、且つ、該掲示板１，１相互を横方向に連結すると共に該縦連結の掲示板１ｂ，１ｂ相互を横方向に連結して、これらの掲示板を支柱枠体５に取り付けた状態を示すものである。
【００１２】
該掲示板１は、図４〜７に示すように、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されている。
【００１３】
前記芯材１８３は、例えば、５ｍｍ肉厚で２０ｍｍ幅のアルミニウム製の上下左右の枠片１８５，１８６，１８７，１８８の端部相互を留継ぎして矩形枠１８９を形成し、該矩形枠１８９の左右の枠片１８７，１８８の中央部位相互を、１ｍｍ肉厚で２０ｍｍ幅のアルミニウム製の横桟１９０で連結した構成を有している。
【００１４】
本実施の形態においては、各接合部を補強するために、図８に示す如く、枠片相互の接合部の直角をなす内面１９１，１９２及び、左右の枠片１８７，１８８と前記横桟１９０との接合部に形成された直角をなす内面１９３，１９５にＬ字状補強片１９６の各片１９７，１９９を当接させ、該各片１９７，１９９を、接着やスポット溶接等の手段により前記内面に固定している。
【００１５】
又前記前後の基板３，３は、矩形板状をなす例えばアルミニウム板を以ってなり、その表面２００には、図６〜１０に示すように、第１の区画１６と第２の区画１７が設けられると共に、各区画１６，１７には、直径が例えば２０ｍｍの円形の開口部２０が設けられている。該第１の区画１６には、左右２列で上下６個の開口部２０が設けられると共に、第２の区画１７には、左右２列で上下３個の開口部２０が設けられている。そして該前後の基板３，３には、夫々の開口部２０が同位置に設けられている。従って、前後の基板３，３を向かい合わせた状態で、図５に示すように、前後の開口部２０，２０が完全に合致する。
【００１６】
かかる構成を有する前後の基板３，３は、図４〜５に示すように、ゴム質素材からなる台座片２０２を挟んで、その外周縁２０３が前記芯材１８３の外周縁２０５に合致せしめられ、周縁部分２０６，２０６が前記矩形枠１８９の表裏の面２０７，２０９に当接状態とされ、且つ基板３，３の中間部分２１０が、前記横桟１９０の表裏の面２１１，２１２に当接状態とされている。このように形成された当接部分２１３は、該前後の基板３，３が前記芯材１８３に接着やスポット溶接、ビス止め等の手段で固定されることにより、芯材１８３の表裏面に固定されている。又、前記台座片２０２は、図４〜５に示すように、前記前後の基板３，３に設けた各開口部２０を内側から覆うように前後の基板３，３間に介在せしめられる。
【００１７】
該台座片２０２を前後の基板３，３間に介在させて該基板３，３と芯材１８３と台座片２０２とを一体化するには、図１１に示すように、一方の基板３ａ上に前記芯材１８３を、両者の外周縁２０３，２０５を合致させて載置し、この状態で該基板３ａと芯材１８３とを例えば接着により固定する。その後、上の枠片１８５と横桟１９０との間及び、横桟１９０と下の枠片１８６との間に、上下方向に並設された３個の開口部２０，２０，２０を図１１に一点鎖線で示すように同時に覆う如く、５ｍｍ肉厚で５０ｍｍの幅を有するゴム質素材からなる長方形板状の台座片２０２を嵌め入れ、前記基板３ａに接着する。その後、各台座片２０２の表面２１５及び前記芯材１８３の表面２１６に接着剤を塗布し、然る後、他方の基板３ｂを、図４〜５に示すように、その外周縁２０３を前記芯材１８３の外周縁２０５に合致させて、該芯材１８３及び台座片２０２を覆うように貼着する。これにより、該他方の基板３ｂに設けられた各開口部２０が前記台座片２０２により裏側から覆われた状態になる。これにより、前後の基板３，３と芯材１８３と各台座片２０２とが一体化される。然る後、図５、図９〜１０に示すように、前記台座片２０２の表面２１７及び裏面２１９に、前後の基板３，３に設けられている前記開口部２０に嵌め入れられる、ゴム質素材からなる直径が例えば２０ｍｍの円板状の嵌入突部４１を接着する。該台座片２０２と、これに接着された嵌入突部４１とにより、画鋲を突き刺し状態に保持する支持片３９が形成される。
【００１８】
又前記縦連結の掲示板１ｂは、本実施の形態においては図３、図１２〜１４に示すように、前記掲示板１と略同様の構成を有しており、その肉厚は、該掲示板１の肉厚と等しく形成されている。又、前記と同様にして、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されているが、その上下長さは前記掲示板１の上下長さの略半分であることから、前記横桟１９０は省略されている。
【００１９】
図１５は、前記掲示板１のみを、その一方の基板３ａを表にして支柱枠体５に取り付けた状態を示すものであり、第２の区画１７が上下二段に形成されており、夫々の第２の区画１７には、各候補者のポスター掲示場所を番号表示する数字２２０が、図１５に示すように、上から下に向けて数が大きくなり且つ右（第１の区画１６側）から左に向けて数が大きくなるように付されている。
【００２０】
又図３は、前記掲示板１を垂直面内で図１６（Ａ）に矢印で示すように表裏反転して、図１６（Ｂ）に示すように、他方の基板３ｂを表にした状態で、該掲示板１を前記支柱枠体５に取り付けると共に、その下側に位置させて、前記縦連結の掲示板１ｂを支柱枠体５に取り付けた状態を示すものである。このように上下に取り付けられた掲示板１と縦連結の掲示板１ｂの表面には、図３に示すように、第２の区画１７が上下三段に形成されており、夫々の第２の区画１７には、各候補者のポスター掲示場所を番号表示する数字２２０が、図３に示すように、上から下に向けて数が大きくなり且つ右（第１の区画１６側）から左に向けて数が大きくなるように付されている。なお図１７は、掲示板１の下側に縦連結の掲示板１ｂを連結し、且つ、該掲示板１，１相互を横方向に連結すると共に該縦連結の掲示板１ｂ，１ｂ相互を連結して支柱枠体５に取り付けた状態を裏側から見た斜視図である。
【００２１】
前記数字２２０は、前記基板３に直接印刷してもよいのであるが、本実施の形態においては、図１８〜１９に示すように、第２の区画１７の外周縁部分に配置された６個の開口部２０の内側に位置させて、数字が記載された樹脂シート２２１を、剥離可能な接着剤により基板３に貼着して行っている。なお該樹脂シート２２１は、例えば０．３ｍｍ程度の肉厚のものを用いることができる。又該樹脂シート２２１は、透明シートでも半透明シートでも不透明シートでもよいが、基板３の表面に数字を直接付したと同様の印象を与える上からは、透明シートが好ましい。又本実施の形態においては、前記樹脂シート２２１の表面の外周縁に沿って、剥離紙２２２が貼着された両面粘着テープ２２３が例えば矩形枠状に貼着されている。従って、該剥離紙２２２を図１９に示すように引き剥がすことによって、図１８に示すように、ポスター２を貼着するための接着面２２５を形成できる。
【００２２】
図２０〜２１は、前記剥離紙２２２を引き剥がすことにより露出された接着面２２５にポスター２の裏面４９を接着させると共に、該ポスター２を、前記支持片３９に画鋲７１で止着した状態を示すものである。
このようにポスター２を画鋲止めした場合、本実施の形態においては、前後の基板３，３に設けられた開口部２０，２０が前後対向状態にあるため、一方の基板３ａ側で突き刺した画鋲のピン７２が、図２０に示すように、他方の基板３ｂに設けられた前記嵌入突部４１にも突き刺さった状態でポスター２を画鋲止めできるため、掲示板１をより薄く形成できながら、ポスター２の画鋲止めを確実に行うことが可能となる。
【００２３】
前記支柱枠体５は、図２２〜２３に示すように、左右の支柱２２６，２２６間を連結する上下の連結杆２２７，２２９と中間の連結杆２３０を具え、上下の連結杆２２７，２２９、中間の連結杆２３０の夫々の両端に、図２３に示すように固定孔２３１が設けられた１枚の固定片２２８が突設されている。
かかる構成を有する支柱枠体５に前記掲示板１を取り付けるには、図２４〜２５、図２６〜２７に示すような取着具２３２を用いて行う。
【００２４】
図１５に示すように、掲示板１単独を支柱枠体５に取り付ける場合は、図２４に示すように、該掲示板１の裏面の上下端の左右に位置させて上の取着具２３２ａと下の取着具２３２ｂを取り付ける。該上の取着具２３２ａは、図２６、図２８に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。又下の取着具２３２ｂは、図２６、図２８に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。なお、基板面を損傷しないように、固着片２３５を、図２６、図２８に示す如く、ゴム板等の緩衝材２３９を介在させてビス固定する。
【００２５】
然して、該取着具２３２ａ，２３２ｂを用いて、掲示板１を図１５に示すように支柱枠体５に取り付けるには、図２６に示すように、上下左右の取着具の有する取付片２３６を前記固定片２２８に載せると共に、連通状態にある前記固定孔２３１と取付け孔２３７に連結ピン２４０を上から落とし込み状態に挿入する。これにより、掲示板１は、上下左右の取着具を介して支柱枠体５に取り付けられることになる。
【００２６】
又、図３に示すように、前記掲示板１と縦連結の掲示板１ｂとを支柱枠体５の上下部分に取り付ける場合は、図２５に示すように、該掲示板１の裏面の上端左右に位置させて、前記上の取着具２３２ａ，２３２ａを取り付けると共に、該縦連結の掲示板１ｂの裏面の下端左右に位置させて、下の取着具２３２ｂ，２３２ｂを取り付ける。又、掲示板１と縦連結の掲示板１ｂとの接合部分に中間の取着具２３２ｃを取り付ける。
【００２７】
該上下の取着具２３２ａ，２３２ｂは、図２７、図２９に示すように、上の取着具２３２ａの固着片２３５が掲示板１の裏面にビス２３３で固定されると共に、該固着片２３５の上端において後方に突出するように取付片２３６が直角に屈曲されている。又、下の取着具２３２ｂの固着片２３５が縦連結の掲示板１ｂの裏面にビス２３３で固定されると共に、該固着片２３５の下端において後方に突出するように取付片２３６が直角に屈曲されている。又、前記中間の取着具２３２ｃは、図２７、図２９に示すように、上下に稍長い固着片２４１の上端において後方に突出するように、取付片２４２が直角に屈曲形成されており、該取付片２４２には、左右方向に稍長い取付け孔２３７が設けられている。該中間の取着具２３２ｃは、図２７、図２９に示すように、前記固着片２４１の上下部分２４１ａ，２４１ｂが、前記掲示板１の裏面の下端部分２４３と前記縦連結の掲示板１ｂの裏面の上端部分２４４に、ビス２３３で固定される。このように固定される左右の中間の取着具２３２ｃ，２３２ｃによって、掲示板１と縦連結の掲示板１ｂとが連結一体化される。
このように連結一体化した後、図２７に示すように、前記取着具の取付片２３６、取付片２４２を、前記支柱枠体５に設けられている対応の固定片２２８に載せると共に、連通状態にある固定孔２３１と取付孔２３７に連結ピン２４０を上から落とし込み状態に挿入すると、掲示板１と縦連結掲示板１ｂが、支柱枠体５の上下部分に取り付けられることになる。
【００２８】
図３、図１７は、前記掲示板１，１相互を横に連結し且つ前記縦連結の掲示板１ｂ，１ｂ相互を横に連結した状態を示すものである。この連結は、図３０〜３２に示すように、掲示板１及び縦連結の掲示板１ｂの側部に設けられた、左右隣り合う連結孔２４５，２４５に、コ字状連結具２４６の左右のネジ軸部２４７，２４７を、基板の表側から挿通させ、且つ、裏側に突出したネジ軸部２４７，２４７の先端側に座金２４８を介在させて袋ナット２４９を螺合し締め付けることによって行なう。
【００２９】
前後の基板３，３を、芯材１８３を挟んで全体を一体化することによって掲示板を構成する場合、嵌入突部４１を嵌め入れるために前後の基板３，３に設ける開口部２０，２０は、図３３〜３４に示すように対向状態に設けられない場合もあるが、このように構成するときは、前記台座片２０２を、ポスター２を止着するために突き刺した画鋲７１のピン７２の先端が、裏側の基板３に当たらない厚さに設定する必要がある。その結果、前記芯材１８３の厚さを厚く設定する必要が生ずるため、図５に示すように前後の開口部２０，２０を対向させる場合に比し、掲示板１や縦連結の掲示板１ｂの肉厚がより厚いものとなる。
【００３０】
芯材１８３の表裏面に基板３，３を重ね合わせて全体を一体化することによって掲示板を構成する場合、該芯材１８３は、前記したアルミニウム等の金属製であることの他、木製や樹脂製であってもよい。又、前記支持片３９を構成する前記台座片２０２や嵌入突部４１は、前記したゴム質素材からなるものの他、コルク等の木質素材やフェルト等の、ポスター支持に適した素材を用いて構成できる。そして該嵌入突部４１は、第１の面状ファスナーと第２の面状ファスナーとから構成してもよい。
【００３１】
又前記のように、樹脂シート２２１を基板３に貼着して数字２２０を付する場合、選挙が終わった後に、該樹脂シート２２１を引き剥がし、新たな樹脂シートを次回選挙に先立って貼着する他、前記接着面を除去し、次回選挙に先立って両面粘着テープを貼着することもある。又、基板３に樹脂シート２２１を貼着することによって数字を付す場合、ポスターを貼着するための前記両面粘着テープ２２３が樹脂シート２２１に貼着されないこともある。この場合は、ポスター２は、前記支持片３９において画鋲止めされる。
【００３２】
前記縦連結の掲示板１ｂは、その前後の基板３，３に第２の区画１７が設けられ、該区画に、ポスターの掲示場所を示す数字等が付されることもある。
【００３３】
又前記掲示板１の表裏反転は、図１６に示すように垂直面内で行なうことの他、図３５（Ａ）に示すように水平面内で行なってもよい。図３５（Ｂ）は、反転後の状態を示す。【００３４】
又、前後の基板３，３間に介在される芯材１８３は、該前後の基板３，３が該芯材１８３と一体化して掲示板を構成できる限り、図６や図１３に示すような矩形枠状に形成されるものには特定されない。
【００３５】
〔その他の実施の形態〕                                                    本発明は、前記実施の形態で示したものに限定されるものでは決してなく、「特許請求の範囲」の記載内で種々の設計変更が可能であることはいうまでもない。その一例を挙げれば次のようである。
【００３６】
(1) 本発明に係る掲示板を構成する基板に設ける開口部２０の配置状態は、ポスターを、接着や画鋲止めによって或いはその併用によって基板に止着できるように設定されるものである。
前記実施の形態で説明したように、ポスターの四隅部分に対応する部位に設けられることの他、例えば、ポスターの上縁部分にのみ設けられることもある。又、左右に位置する開口部の中間部分や左右に位置する凹部の中間部分に設けられることの他、ポスターの中央部分に対応する部位にも設けられることがある。
又、前記開口部２０の正面視の形態は、前記実施の形態で示したような円形を呈するものには特定されず、正方形状や長方形状に、又、楕円形状や半丸状、角形状に、更には、縦に長い溝状や横に長い溝状に、斜めに長い溝状等に形成されることもある。
そして、ポスターを支持する支持片３９が、これらの開口部２０の形態に合わせて設けられる。図３６はその一例を示すものであり、長方形状の開口部２０に、支持片３９の表面側をなす嵌入突部４１を嵌め入れ、且つ該嵌入突部４１の外周面１３７と前記開口部２０の内周面１３９との間に全周に亘って間隙１４０を形成した状態を示すものである。
【００３７】
(2) 前記基板３は、金属製の板体や硬質樹脂製の板体単独で構成されることの他、金属製の板体と硬質樹脂製の板体の複合板として構成されることもある。
【００３８】
【発明の効果】
本発明は以下の如き優れた効果を奏する。
【００３９】
(1) 本発明に係る選挙用の掲示板は、基板を金属製や硬質樹脂製としているため、従来のベニヤ板製の掲示板とは異なり再利用に耐え得る。従って、選挙毎に大量のベニヤ板や角材、棒材が消費されて公営選挙費用の高騰を招いたり資源の無駄使いとなる等の従来の問題点を解消し得ることとなる。
【００４０】
(2) ポスターを掲示するための前後の基板を芯材の表裏面に重ね合わせ、該芯材と前後の基板を一体化して掲示板を構成するものとし、該前後の基板の夫々に設けられた開口部を塞ぐように、該前後の基板間に、ポスターを支持する支持片を介在させる構成を採用しているため、掲示板の表裏をポスター掲示のために有効利用できる。
即ち、該掲示板を、その一方の基板を表にしてこれを支柱枠体に取り付けることにより、該掲示板単独でポスターを掲示できる一方、該掲示板を反転して他方の基板を表にしてこれを支柱枠体に取り付けると共に、該掲示板の下側に位置させて、他の掲示板を該支柱枠体に取り付けることにより、掲示スペースを合理的に確保して、多数枚のポスターを合理的に掲示できることになる。
【００４１】
(3) 芯材の表裏面に前後の基板を重ね合わせ且つ全体を一体化して掲示板を構成する際、該前後の基板に設けられている開口部を対向状態としたときは、次のような特別な効果が得られる。
即ち、一方の基板の開口部において画鋲のピンを突き刺すことによりポスターを掲示する場合、他方の基板に設けられた開口部に存する支持片にもピンが突き刺さった状態でポスターを画鋲止めできるため、掲示板をより薄く形成できながら、ポスターの画鋲止めを確実に行い得る利点がある。
【００４２】
(4) 第１の掲示板と第２の掲示板とを用いる本発明に係る選挙用掲示装置によるときは、該第１の掲示板のいずれかの基板を利用して、ポスターを通常に掲示できる一方、該第１の掲示板を表裏反転して前記第２の掲示板と共に用いる場合は、ポスターの掲示場所を番号表示する数字が連続状態に付された拡大掲示面を形成できるため、多数枚の選挙用ポスターを合理的に掲示できる利点がある。
【図面の簡単な説明】
【図１】表裏がポスター掲示面とされた本発明に係る選挙用の掲示板をその表側から見た斜視図である。
【図２】その掲示板を裏側から見た斜視図である。
【図３】その掲示板の使用状態を示す斜視図である。
【図４】その掲示板を説明する一部欠切斜視図である。
【図５】その掲示板を説明する断面図である。
【図６】その掲示板の構成を説明する分解斜視図である。
【図７】その掲示板の構成を説明する分解斜視図である。
【図８】その掲示板を構成する芯材の構成を説明する平面図である。
【図９】その掲示板の構成を説明する部分斜視図である。
【図１０】その掲示板の構成を説明する部分斜視図である。
【図１１】その掲示板の組立工程を説明する斜視図である。
【図１２】第２の区画が一列のみ設けられた掲示板の構成を説明する一部欠切斜視図である。
【図１３】その掲示板の構成を説明する分解斜視図である。
【図１４】その掲示板の構成を説明する分解斜視図である。
【図１５】掲示板の使用状態を説明する斜視図である。
【図１６】掲示面が表裏に設けられた掲示板の表裏反転作業を説明する斜視図である。
【図１７】本発明に係る選挙用掲示装置の使用状態を示す斜視図である。
【図１８】掲示板にポスター掲示場所を番号表示する数字を付する態様の一例を示す斜視図である。
【図１９】掲示板にポスターを接着により掲示する工程を説明する斜視図である。
【図２０】ポスターを掲示板に止着した状態を示す断面図である。
【図２１】ポスターを掲示板に止着した状態を示す正面図である。
【図２２】本発明に係る選挙用掲示装置に用いる支柱枠体を示す斜視図である。
【図２３】その部分斜視図である。
【図２４】本発明に係る選挙用掲示装置を構成する第１の掲示板に、上下の取着具を取り付けた状態を示す斜視図である。
【図２５】上下連設された掲示板に、上下及び中間の取着具を取り付けた状態を示す斜視図である。
【図２６】第１の掲示板を支柱枠体に取り付けた状態を示す断面図である。
【図２７】第１及び第２の掲示板を支柱枠体に取り付けた状態を示す断面図である。
【図２８】第１の掲示板に上下の取着具を取り付けた状態を示す斜視図である。
【図２９】上下連設された掲示板に上下及び中間の取着具を取り付けた状態を示す斜視図である。【図３０】左右隣り合う掲示板相互を連結した状態を示す断面図である。
【図３１】その連結状態を示す斜視図である。
【図３２】その連結構成を説明する斜視図である。
【図３３】前後の基板に設ける開口部が対向状態にない掲示板を説明する断面図である。
【図３４】前後の開口部が対向状態にない掲示板をその使用状態で示す断面図である。
【図３５】掲示板の表裏反転を水平面内で行なう場合を示す斜視図である。
【図３６】開口部の他の態様を示す正面図である。
【符号の説明】
１  掲示板
２  ポスター
３  基板
５  支柱枠体
１６  第１の区画
１７  第２の区画
２０  開口部
３９  支持片
４０  台座片
４１  嵌入突部
７１  画鋲


【手続補正２】
【補正対象書類名】図面
【補正対象項目名】全図
【補正方法】変更
【補正の内容】
【図１】
2004287375.tif 000108
【図２】
2004287375.tif 000109
【図３】
2004287375.tif 000110
【図４】
2004287375.tif 000111
【図５】
2004287375.tif 000112
【図６】
2004287375.tif 000113
【図７】
2004287375.tif 000114
【図８】
2004287375.tif 000115
【図９】
2004287375.tif 000116
【図１０】
2004287375.tif 000117
【図１１】
2004287375.tif 000118
【図１２】
2004287375.tif 000119
【図１３】
2004287375.tif 000120
【図１４】
2004287375.tif 000121
【図１５】
2004287375.tif 000122
【図１６】
2004287375.tif 000123
【図１７】
2004287375.tif 000124
【図１８】
2004287375.tif 000125
【図１９】
2004287375.tif 000126
【図２０】
2004287375.tif 000127
【図２１】
2004287375.tif 000128
【図２２】
2004287375.tif 000129
【図２３】
2004287375.tif 000130
【図２４】
2004287375.tif 000131
【図２５】
2004287375.tif 000132
【図２６】
2004287375.tif 000133
【図２７】
2004287375.tif 000134
【図２８】
2004287375.tif 000135
【図２９】
2004287375.tif 000136
【図３０】
2004287375.tif 000137
【図３１】
2004287375.tif 000138
【図３２】
2004287375.tif 000139
【図３３】
2004287375.tif 000140
【図３４】
2004287375.tif 000141
【図３５】
2004287375.tif 000142
【図３６】
2004287375.tif 000143
【手続補正書】
【提出日】平成16年3月22日(2004.3.22)
【手続補正１】
【補正対象書類名】明細書
【補正対象項目名】全文
【補正方法】変更
【補正の内容】
【特許請求の範囲】
【請求項１】芯材の表裏面に、ポスターを掲示するための金属製又は硬質樹脂製の前後の基板が重ね合わせられ、該芯材と該前後の基板が一体化されており、又、該前後の基板の夫々には開口部が設けられ、該前後の開口部を塞ぐように、該前後の基板間に、ポスターを止着する画鋲のピンを突き刺し状態で支持する支持片が介在されている選挙用の掲示板であって、
前記芯材は、金属製、木製或いは樹脂製の矩形枠で構成され、前記基板の外周縁が前記芯材の外周縁に合致せしめられており、又、前記矩形枠内において且つ前記前後の基板間に、ゴム質素材、コルク等の木質素材或いはフェルトからなる、前記支持片を構成する台座片が、前記前後の開口部を内側から覆うように設けられており、且つ、ゴム質素材、コルク等の木質素材或いはフェルトからなる、前記支持片を構成する嵌入突部が、前記台座片の表面及び裏面に接着されており、該嵌入突部の表面は前記基板の表面と面一であり、
又、前後の基板の夫々の表面に、該ポスターを掲示するための区画が上下二段に且つ左右方向に複数形成され、夫々の区画には、各候補者のポスター掲示場所を番号表示する数字が付されており、一方の基板の表面には、上から下に向けて数が一つ大きくなり且つ、
右から左に向けて、或いは左から右に向けて数が二つ大きくなるように数字が付されると共に、他方の基板の表面には、上から下に向けて数が一つ大きくなり、且つ、右から左に向けて、或いは左から右に向けて数が三つ大きくなるように数字が付されていることを特徴とする選挙用の掲示板。
【請求項２】前記前後の基板の夫々に設けられている前記開口部が対向状態であることを特徴とする請求項１記載の選挙用の掲示板。
【請求項３】請求項１記載の選挙用の掲示板（第１の掲示板）と、ポスターを掲示するための区画が表面の左右方向に複数形成された第２の掲示板と、該第１の掲示板と該第２の掲示板とを取り付ける支柱枠体とからなる選挙用掲示装置であって、
前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段の区画に付された数字と連続するように数が大きくなる如く付されており、連続数字の付された各区画にポスターを掲示できることを特徴とする選挙用掲示装置。
【発明の詳細な説明】
【０００１】
【発明の属する技術分野】
本発明は、選挙用のポスターを掲示するために繰り返して使用可能であり、又、ポスターを確実且つ容易に、しかも外観よく掲示し得る選挙用の掲示板に関するものである。又、多数枚の選挙用のポスターを合理的に掲示し得る選挙用掲示装置に関するものである。
【０００２】
【従来の技術】
選挙用のポスターを掲示するための従来の掲示板は、通常、所要大きさのベニヤ板を以って形成され、角材や棒材等を組み合わせて形成した支柱枠体にネジ釘等を用いて取り付けられていた。そして、該掲示板の表面に設けられた区画にポスターを接着剤や粘着テープ等で貼り付け、又、適宜、画鋲止めすることが行われていた。
【０００３】
しかしながらベニヤ板からなる従来の掲示板は、日光や風雨に弱く、又、接着剤を除去しにくい等、汚損や破損が激しいために再利用に耐え難いものであった。そのため選挙用のポスター掲示板にあっては、選挙の度に新しく作られ、選挙が終わると取り壊されて焼却処分されていた。従って、選挙毎に大量のベニヤ板や角材、棒材が消費され、公営選挙費用の高騰を招くばかりか、資源の無駄使いともなっていた。
【０００４】
【特許文献１】
特開２００１−３３１１３５号公報（第３頁、図３）
【特許文献２】
実用新案登録第３０４７９４７号公報（第３−４頁、図２）
【０００５】
【発明が解決しようとする課題】
本発明は、前記従来の問題点に鑑みて開発されたもので、選挙用のポスターを掲示するために繰り返して使用可能な選挙用の掲示板の提供を課題とするものであり、又、多数枚の選挙用のポスターを合理的に掲示し得る選挙用掲示装置の提供を課題とするものである。
【０００６】
【課題を解決するための手段】
前記課題を解決するため本発明は以下の手段を採用する。
即ち本発明に係る選挙用の掲示板は、芯材の表裏面に、ポスターを掲示するための金属製又は硬質樹脂製の前後の基板が重ね合わせられ、該芯材と該前後の基板が一体化されており、又、該前後の基板の夫々には開口部が設けられ、該前後の開口部を塞ぐように、該前後の基板間に、ポスターを止着する画鋲のピンを突き刺し状態で支持する支持片が介在されている選挙用の掲示板である。前記芯材は、金属製、木製或いは樹脂製の矩形枠で構成され、前記基板の外周縁が前記芯材の外周縁に合致せしめられており、又、前記矩形枠内において且つ前記前後の基板間に、ゴム質素材、コルク等の木質素材或いはフェルトからなる、前記支持片を構成する台座片が、前記前後の開口部を内側から覆うように設けられており、且つ、ゴム質素材、コルク等の木質素材或いはフェルトからなる、前記支持片を構成する嵌入突部が、前記台座片の表面及び裏面に接着されており、該嵌入突部の表面は前記基板の表面と面一である。又、前後の基板の夫々の表面に、該ポスターを掲示するための区画が上下二段に且つ左右方向に複数形成され７夫々の区画には、各候補者のポスター掲示場所を番号表示する数字が付されており、一方の基板の表面には、上から下に向けて数が一つ大きくなり且つ、右から左に向けて、或いは左から右に向けて数が二つ大きくなるように数字が付されると共に、他方の基板の表面には、上から下に向けて数が一つ大きくなり、且つ、右から左に向けて、或いは左から右に向けて数が三つ大きくなるように数字が付されていることを特徴とするものである。
【０００７】
該選挙用の掲示板において、前後の基板の夫々に設けられている前記開口部を対向状態とするのがよい。
【０００８】
又本発明に係る選挙用掲示装置は、前記構成の選挙用の掲示板（第１の掲示板）と、ポスターを掲示するための区画が表面の左右方向に複数形成された第２の掲示板と、該第１の掲示板と該第２の掲示板とを取り付ける支柱枠体とからなる選挙用掲示装置であって、  前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段の区画に付された数字と連続するように数が大きくなる如く付されており、連続数字の付された各区画にポスターを掲示できることを特徴とするものである。
【０００９】
【発明の実施の形態】
以下、本発明の実施の形態を図面に基づいて説明する。
図１〜２において本発明に係る選挙用の掲示板１は、選挙用のポスター２を掲示する掲示板であり、支柱枠体５に着脱可能に取り付けられるものである。
【００１０】
図３は、かかる構成を有する掲示板１（本発明にいう第１の掲示板）の下側に縦連結の掲示板１ｂ（本発明にいう第２の掲示板）を連結し、且つ、該掲示板１，１相互を横方向に連結すると共に該縦連結の掲示板１ｂ，１ｂ相互を横方向に連結して、これらの掲示板を支柱枠体５に取り付けた状態を示すものである。
【００１１】
該掲示板１は、図４〜７に示すように、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されている。
【００１２】
前記芯材１８３は、例えば、５ｍｍ肉厚で２０ｍｍ幅のアルミニウム製の上下左右の枠片１８５，１８６，１８７，１８８の端部相互を留継ぎして矩形枠１８９を形成し、該矩形枠１８９の左右の枠片１８７，１８８の中央部位相互を、１ｍｍ肉厚で２０ｍｍ幅のアルミニウム製の横桟１９０で連結した構成を有している。
【００１３】
本実施の形態においては、各接合部を補強するために、図８に示す如く、枠片相互の接合部の直角をなす内面１９１，１９２及び、左右の枠片１８７，１８８と前記横桟１９０との接合部に形成された直角をなす内面１９３，１９５にＬ字状補強片１９６の各片１９７，１９９を当接させ、該各片１９７，１９９を、接着やスポット溶接等の手段により前記内面に固定している。
【００１４】
又前記前後の基板３，３は、矩形板状をなす例えばアルミニウム板を以ってなり、その表面２００には、図６〜１０に示すように、第１の区画１６と第２の区画１７が設けられると共に、各区画１６，１７には、直径が例えば２０ｍｍの円形の開口部２０が設けられている。該第１の区画１６には、左右２列で上下６個の開口部２０が設けられると共に、
第２の区画１７には、左右２列で上下３個の開口部２０が設けられている。そして該前後の基板３，３には、夫々の開口部２０が同位置に設けられている。従って、前後の基板３，３を向かい合わせた状態で、図５に示すように、前後の開口部２０，２０が完全に合致する。
【００１５】
かかる構成を有する前後の基板３，３は、図４〜５に示すように、ゴム質素材からなる台座片２０２を挟んで、その外周縁２０３が前記芯材１８３の外周縁２０５に合致せしめられ、周縁部分２０６，２０６が前記矩形枠１８９の表裏の面２０７，２０９に当接状態とされ、且つ基板３，３の中間部分２１０が、前記横桟１９０の表裏の面２１１，２１２に当接状態とされている。このように形成された当接部分２１３は、該前後の基板３，３が前記芯材１８３に接着やスポット溶接、ビス止め等の手段で固定されることにより、芯材１８３の表裏面に固定されている。又、前記台座片２０２は、図４〜５に示すように、
前記前後の基板３，３に設けた各開口部２０を内側から覆うように前後の基板３，３間に介在せしめられる。
【００１６】
該台座片２０２を前後の基板３，３間に介在させて該基板３，３と芯材１８３と台座片２０２とを一体化するには、図１１に示すように、一方の基板３ａ上に前記芯材１８３を、両者の外周縁２０３，２０５を合致させて載置し、この状態で該基板３ａと芯材１８３とを例えば接着により固定する。その後、上の枠片１８５と横桟１９０との間及び、横桟１９０と下の枠片１８６との間に、上下方向に並設された３個の開口部２０，２０，２０を図１１に一点鎖線で示すように同時に覆う如く、５ｍｍ肉厚で５０ｍｍの幅を有するゴム質素材からなる長方形板状の台座片２０２を嵌め入れ、前記基板３ａに接着する。その後、各台座片２０２の表面２１５及び前記芯材１８３の表面２１６に接着剤を塗布し、然る後、他方の基板３ｂを、図４〜５に示すように、その外周縁２０３を前記芯材１８３の外周縁２０５に合致させて、該芯材１８３及び台座片２０２を覆うように貼着する。これにより、該他方の基板３ｂに設けられた各開口部２０が前記台座片２０２により裏側から覆われた状態になる。これにより、前後の基板３，３と芯材１８３と各台座片２０２とが一体化される。然る後、図５、図９〜１０に示すように、前記台座片２０２の表面２１７及び裏面２１９に、前後の基板３，３に設けられている前記開口部２０に嵌め入れられる、ゴム質素材からなる直径が例えば２０ｍｍの円板状の嵌入突部４１を接着する。該台座片２０２と、これに接着された嵌入突部４１とにより、画鋲を突き刺し状態に保持する支持片３９が形成される。
【００１７】
又前記縦連結の掲示板１ｂは、本実施の形態においては図３、図１２〜１４に示すように、前記掲示板１と略同様の構成を有しており、その肉厚は、該掲示板１の肉厚と等しく形成されている。又、前記と同様にして、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されているが、その上下長さは前記掲示板１の上下長さの略半分であることから、前記横桟１９０は省略されている。
【００１８】
図１５は、前記掲示板１のみを、その一方の基板３ａを表にして支柱枠体５に取り付けた状態を示すものであり、第２の区画１７が上下二段に形成されており、夫々の第２の区画１７には、各候補者のポスター掲示場所を番号表示する数字２２０が、図１５に示すように、上から下に向けて数が大きくなり且つ右（第１の区画１６側）から左に向けて数が大きくなるように付されている。
【００１９】
又図３は、前記掲示板１を垂直面内で図１６（Ａ）に矢印で示すように表裏反転して、
図１６（Ｂ）に示すように、他方の基板３ｂを表にした状態で、該掲示板１を前記支柱枠体５に取り付けると共に、その下側に位置させて、前記縦連結の掲示板１ｂを支柱枠体５に取り付けた状態を示すものである。このように上下に取り付けられた掲示板１と縦連結の掲示板１ｂの表面には、図３に示すように、第２の区画１７が上下三段に形成されており、夫々の第２の区画１７には、各候補者のポスター掲示場所を番号表示する数字２２０が、図３に示すように、上から下に向けて数が大きくなり且つ右（第１の区画１６側）から左に向けて数が大きくなるように付されている。なお図１７は、掲示板１の下側に縦連結の掲示板１ｂを連結し、且つ、該掲示板１，１相互を横方向に連結すると共に該縦連結の掲示板１ｂ，１ｂ相互を連結して支柱枠体５に取り付けた状態を裏側から見た斜視図である。
【００２０】
前記数字２２０は、前記基板３に直接印刷してもよいのであるが、本実施の形態においては、図１８〜１９に示すように、第２の区画１７の外周縁部分に配置された６個の開口部２０の内側に位置させて、数字が記載された樹脂シート２２１を、剥離可能な接着剤により基板３に貼着して行っている。なお該樹脂シート２２１は、例えば０．３ｍｍ程度の肉厚のものを用いることができる。又該樹脂シート２２１は、透明シートでも半透明シートでも不透明シートでもよいが、基板３の表面に数字を直接付したと同様の印象を与える上からは、透明シートが好ましい。又本実施の形態においては、前記樹脂シート２２１の表面の外周縁に沿って、剥離紙２２２が貼着された両面粘着テープ２２３が例えば矩形枠状に貼着されている。従って、該剥離紙２２２を図１９に示すように引き剥がすことによって、図１８に示すように、ポスター２を貼着するための接着面２２５を形成できる。
【００２１】
図２０〜２１は、前記剥離紙２２２を引き剥がすことにより露出された接着面２２５にポスター２の裏面４９を接着させると共に、該ポスター２を、前記支持片３９に画鋲７１で止着した状態を示すものである。
このようにポスター２を画鋲止めした場合、本実施の形態においては、前後の基板３，３に設けられた開口部２０，２０が前後対向状態にあるため、一方の基板３ａ側で突き刺した画鋲のピン７２が、図２０に示すように、他方の基板３ｂに設けられた前記嵌入突部４１にも突き刺さった状態でポスター２を画鋲止めできるため、掲示板１をより薄く形成できながら、ポスター２の画鋲止めを確実に行うことが可能となる。
【００２２】
前記支柱枠体５は、図２２〜２３に示すように、左右の支柱２２６，２２６間を連結する上下の連結杆２２７，２２９と中間の連結杆２３０を具え、上下の連結杆２２７，２２９、中間の連結杆２３０の夫々の両端に、図２３に示すように固定孔２３１が設けられた１枚の固定片２２８が突設されている。
かかる構成を有する支柱枠体５に前記掲示板１を取り付けるには、図２４〜２５、図２６〜２７に示すような取着具２３２を用いて行う。
【００２３】
図１５に示すように、掲示板１単独を支柱枠体５に取り付ける場合は、図２４に示すように、該掲示板１の裏面の上下端の左右に位置させて上の取着具２３２ａと下の取着具２３２ｂを取り付ける。該上の取着具２３２ａは、図２６、図２８に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。又下の取着具２３２ｂは、図２６、図２８に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。なお、基板面を損傷しないように、固着片２３５を、図２６、図２８に示す如く、ゴム板等の緩衝材２３９を介在させてビス固定する。
【００２４】
然して、該取着具２３２ａ，２３２ｂを用いて、掲示板１を図１５に示すように支柱枠体５に取り付けるには、図２６に示すように、上下左右の取着具の有する取付片２３６を前記固定片２２８に載せると共に、連通状態にある前記固定孔２３１と取付け孔２３７に連結ピン２４０を上から落とし込み状態に挿入する。これにより、掲示板１は、上下左右の取着具を介して支柱枠体５に取り付けられることになる。
【００２５】
又、図３に示すように、前記掲示板１と縦連結の掲示板１ｂとを支柱枠体５の上下部分に取り付ける場合は、図２５に示すように、該掲示板１の裏面の上端左右に位置させて、
前記上の取着具２３２ａ，２３２ａを取り付けると共に、該縦連結の掲示板１ｂの裏面の下端左右に位置させて、下の取着具２３２ｂ，２３２ｂを取り付ける。又、掲示板１と縦連結の掲示板１ｂとの接合部分に中間の取着具２３２ｃを取り付ける。
【００２６】
該上下の取着具２３２ａ，２３２ｂは、図２７、図２９に示すように、上の取着具２３２ａの固着片２３５が掲示板１の裏面にビス２３３で固定されると共に、該固着片２３５の上端において後方に突出するように取付片２３６が直角に屈曲されている。又、下の取着具２３２ｂの固着片２３５が縦連結の掲示板１ｂの裏面にビス２３３で固定されると共に、該固着片２３５の下端において後方に突出するように取付片２３６が直角に屈曲されている。又、前記中間の取着具２３２ｃは、図２７、図２９に示すように、上下に稍長い固着片２４１の上端において後方に突出するように、取付片２４２が直角に屈曲形成されており、該取付片２４２には、左右方向に稍長い取付け孔２３７が設けられている。該中間の取着具２３２ｃは、図２７、図２９に示すように、前記固着片２４１の上下部分２４１ａ，２４１ｂが、前記掲示板１の裏面の下端部分２４３と前記縦連結の掲示板１ｂの裏面の上端部分２４４に、ビス２３３で固定される。このように固定される左右の中間の取着具２３２ｃ，２３２ｃによって、掲示板１と縦連結の掲示板１ｂとが連結一体化される。
このように連結一体化した後、図２７に示すように、前記取着具の取付片２３６、取付片２４２を、前記支柱枠体５に設けられている対応の固定片２２８に載せると共に、連通状態にある固定孔２３１と取付孔２３７に連結ピン２４０を上から落とし込み状態に挿入すると、掲示板１と縦連結掲示板１ｂが、支柱枠体５の上下部分に取り付けられることになる。
【００２７】
図３、図１７は、前記掲示板１，１相互を横に連結し且つ前記縦連結の掲示板１ｂ，１ｂ相互を横に連結した状態を示すものである。この連結は、図３０〜３２に示すように、掲示板１及び縦連結の掲示板１ｂの側部に設けられた、左右隣り合う連結孔２４５，２４５に、コ字状連結具２４６の左右のネジ軸部２４７，２４７を、基板の表側から挿通させ、且つ、裏側に突出したネジ軸部２４７，２４７の先端側に座金２４８を介在させて袋ナット２４９を螺合し締め付けることによって行なう。
【００２８】
前後の基板３，３を、芯材１８３を挟んで全体を一体化することによって掲示板を構成する場合、嵌入突部４１を嵌め入れるために前後の基板３，３に設ける開口部２０，２０は、図３３〜３４に示すように対向状態に設けられない場合もあるが、このように構成するときは、前記台座片２０２を、ポスター２を止着するために突き刺した画鋲７１のピン７２の先端が、裏側の基板３に当たらない厚さに設定する必要がある。その結果、前記芯材１８３の厚さを厚く設定する必要が生ずるため、図５に示すように前後の開口部２０，２０を対向させる場合に比し、掲示板１や縦連結の掲示板１ｂの肉厚がより厚いものとなる。
【００２９】
芯材１８３の表裏面に基板３，３を重ね合わせて全体を一体化することによって掲示板を構成する場合、該芯材１８３は、前記したアルミニウム等の金属製であることの他、木製や樹脂製であってもよい。又、前記支持片３９を構成する前記台座片２０２や嵌入突部４１は、前記したゴム質素材からなるものの他、コルク等の木質素材やフェルト等の、ポスター支持に適した素材を用いて構成できる。そして該嵌入突部４１は、第１の面状ファスナーと第２の面状ファスナーとから構成してもよい。
【００３０】
又前記のように、樹脂シート２２１を基板３に貼着して数字２２０を付する場合、選挙が終わった後に、該樹脂シート２２１を引き剥がし、新たな樹脂シートを次回選挙に先立って貼着する他、前記接着面を除去し、次回選挙に先立って両面粘着テープを貼着することもある。又、基板３に樹脂シート２２１を貼着することによって数字を付す場合、ポスターを貼着するための前記両面粘着テープ２２３が樹脂シート２２１に貼着されないこともある。この場合は、ポスター２は、前記支持片３９において画鋲止めされる。
【００３１】
前記縦連結の掲示板１ｂは、その前後の基板３，３に第２の区画１７が設けられ、該区画に、ポスターの掲示場所を示す数字等が付されることもある。
【００３２】
又前記掲示板１の表裏反転は、図１６に示すように垂直面内で行なうことの他、図３５（Ａ）に示すように水平面内で行なってもよい。図３５（Ｂ）は、反転後の状態を示す。
【００３３】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００３４】
(1) 本発明に係る掲示板を構成する基板に設ける開口部２０の配置状態は、ポスターを、
接着や画鋲止めによって或いはその併用によって基板に止着できるように設定されるものである。
前記実施の形態で説明したように、ポスターの四隅部分に対応する部位に設けられることの他、例えば、ポスターの上縁部分にのみ設けられることもある。又、左右に位置する開口部の中間部分や左右に位置する凹部の中間部分に設けられることの他、ポスターの中央部分に対応する部位にも設けられることがある。
又、前記開口部２０の正面視の形態は、前記実施の形態で示したような円形を呈するものには特定されず、正方形状や長方形状に、又、楕円形状や半丸状、角形状に、更には、
縦に長い溝状や横に長い溝状に、斜めに長い溝状等に形成されることもある。
そして、ポスターを支持する支持片３９が、これらの開口部２０の形態に合わせて設けられる。図３６はその一例を示すものであり、長方形状の開口部２０に、支持片３９の表面側をなす嵌入突部４１を嵌め入れ、且つ該嵌入突部４１の外周面１３７と前記開口部２０の内周面１３９との間に全周に亘って間隙１４０を形成した状態を示すものである。
【００３５】
(2) 前記基板３は、金属製の板体や硬質樹脂製の板体単独で構成されることの他、金属製の板体と硬質樹脂製の板体の複合板として構成されることもある。
【００３６】
【発明の効果】
本発明は以下の如き優れた効果を奏する。
【００３７】
(1) 本発明に係る選挙用の掲示板は、基板を金属製や硬質樹脂製としているため、従来のベニヤ板製の掲示板とは異なり再利用に耐え得る。従って、選挙毎に大量のベニヤ板や角材、棒材が消費されて公営選挙費用の高騰を招いたり資源の無駄使いとなる等の従来の問題点を解消し得ることとなる。
【００３８】
(2) ポスターを掲示するための前後の基板を芯材の表裏面に重ね合わせ、該芯材と前後の基板を一体化して掲示板を構成するものとし、該前後の基板の夫々に設けられた開口部を塞ぐように、該前後の基板間に、ポスターを支持する支持片を介在させる構成を採用しているため、掲示板の表裏をポスター掲示のために有効利用できる。
即ち、該掲示板を、その一方の基板を表にしてこれを支柱枠体に取り付けることにより、該掲示板単独でポスターを掲示できる一方、該掲示板を反転して他方の基板を表にしてこれを支柱枠体に取り付けると共に、該掲示板の下側に位置させて、他の掲示板を該支柱枠体に取り付けることにより、掲示スペースを合理的に確保して、多数枚のポスターを合理的に掲示できることになる。
【００３９】
(3) 芯材の表裏面に前後の基板を重ね合わせ且つ全体を一体化して掲示板を構成する際、
該前後の基板に設けられている開口部を対向状態としたときは、次のような特別な効果が得られる。
即ち、一方の基板の開口部において画鋲のピンを突き刺すことによりポスターを掲示する場合、他方の基板に設けられた開口部に存する支持片にもピンが突き刺さった状態でポスターを画鋲止めできるため、掲示板をより薄く形成できながら、ポスターの画鋲止めを確実に行い得る利点がある。
【００４０】
(4) 第１の掲示板と第２の掲示板とを用いる本発明に係る選挙用掲示装置によるときは、
該第１の掲示板のいずれかの基板を利用して、ポスターを通常に掲示できる一方、該第１の掲示板を表裏反転して前記第２の掲示板と共に用いる場合は、ポスターの掲示場所を番号表示する数字が連続状態に付された拡大掲示面を形成できるため、多数枚の選挙用ポスターを合理的に掲示できる利点がある。
【図面の簡単な説明】
【図１】表裏がポスター掲示面とされた本発明に係る選挙用の掲示板をその表側から見た斜視図
である。
【図２】その掲示板を裏側から見た斜視図である。
【図３】その掲示板の使用状態を示す斜視図である。
【図４】その掲示板を説明する一部欠切斜視図である。
【図５】その掲示板を説明する断面図である。
【図６】その掲示板の構成を説明する分解斜視図である。
【図７】その掲示板の構成を説明する分解斜視図である。
【図８】その掲示板を構成する芯材の構成を説明する平面図である。
【図９】その掲示板の構成を説明する部分斜視図である。
【図１０】その掲示板の構成を説明する部分斜視図である。
【図１１】その掲示板の組立工程を説明する斜視図である。
【図１２】第２の区画が一列のみ設けられた掲示板の構成を説明する一部欠切斜視図である。
【図１３】その掲示板の構成を説明する分解斜視図である。
【図１４】その掲示板の構成を説明する分解斜視図である。
【図１５】掲示板の使用状態を説明する斜視図である。
【図１６】掲示面が表裏に設けられた掲示板の表裏反転作業を説明する斜視図である。
【図１７】本発明に係る選挙用掲示装置の使用状態を示す斜視図である。
【図１８】掲示板にポスター掲示場所を番号表示する数字を付する態様の一例を示す斜視図である
。
【図１９】掲示板にポスターを接着により掲示する工程を説明する斜視図である。
【図２０】ポスターを掲示板に止着した状態を示す断面図である。
【図２１】ポスターを掲示板に止着した状態を示す正面図である。
【図２２】本発明に係る選挙用掲示装置に用いる支柱枠体を示す斜視図である。
【図２３】その部分斜視図である。
【図２４】本発明に係る選挙用掲示装置を構成する第１の掲示板に、上下の取着具を取り付けた状
態を示す斜視図である。
【図２５】上下連設された掲示板に、上下及び中間の取着具を取り付けた状態を示す斜視図である
。
【図２６】第１の掲示板を支柱枠体に取り付けた状態を示す断面図である。
【図２７】第１及び第２の掲示板を支柱枠体に取り付けた状態を示す断面図である。
【図２８】第１の掲示板に上下の取着具を取り付けた状態を示す斜視図である。
【図２９】上下連設された掲示板に上下及び中間の取着具を取り付けた状態を示す斜視図である。
【図３０】左右隣り合う掲示板相互を連結した状態を示す断面図である。
【図３１】その連結状態を示す斜視図である。
【図３２】その連結構成を説明する斜視図である。
【図３３】前後の基板に設ける開口部が対向状態にない掲示板を説明する断面図である。
【図３４】前後の開口部が対向状態にない掲示板をその使用状態で示す断面図である。
【図３５】掲示板の表裏反転を水平面内で行なう場合を示す斜視図である。
【図３６】開口部の他の態様を示す正面図である。
【符号の説明】
１  掲示板
２  ポスター
３  基板
５  支柱枠体
１６  第１の区画
１７  第２の区画
２０  開口部
３９  支持片
４０  台座片
４１  嵌入突部
７１  画鋲